(57)【特許請求の範囲】
【請求項１】
硬貨が投入される入金口と、当該入金口よりも低い位置に設けられ、当該硬貨が放出される出金口とを有する現金取扱装置で行われる硬貨の精査処理を補助する硬貨精査補助ユニットであって、
前記出金口から前記硬貨を取り込む取込口と、
前記入金口の上方から前記入金口に向けて前記硬貨を放出するシュータと、
前記取込口から取り込まれた前記硬貨を１枚ずつに分離する分離部と、
前記分離部によって分離された前記硬貨を前記シュータに搬送する搬送部と、
前記現金取扱装置の前記入金口及び前記出金口周りを被装着部とし、当該被装着部に装着自在な形状に形成された筐体とを有し、
前記硬貨の精査処理時に、前記出金口に放出された前記硬貨を前記入金口に投入して前記現金取扱装置の内部に還流させる
ことを特徴とする硬貨精査補助ユニット。
【請求項２】
請求項１に記載の硬貨精査補助ユニットにおいて、
前記分離部及び前記搬送部は、電力が外部から当該硬貨精査補助ユニットに供給されることにより、前記現金取扱装置で行われる前記硬貨の精査処理から独立して駆動する
ことを特徴とする硬貨精査補助ユニット。
【請求項３】
請求項１又は請求項２に記載の硬貨精査補助ユニットにおいて、
さらに、前記現金取扱装置に設けられた溝状の係合部と係合する固定部材を有し、
前記シュータの先端付近が前記現金取扱装置の前記入金口に引っ掛かるとともに、前記固定部材が前記係合部に係合することにより、当該硬貨精査補助ユニットが前記現金取扱装置に固定される
ことを特徴とする硬貨精査補助ユニット。
【請求項４】
請求項３に記載の硬貨精査補助ユニットにおいて、
さらに、上下方向に摺動可能なハンドルを上面に有するとともに、
前記筐体は、前記現金取扱装置と対面する側の面に、前記シュータ及び前記現金取扱装置の前記入金口を覆うシュータカバーを備えており、
前記シュータは、前記ハンドルに連結されており、前記ハンドルが下方向に摺動されることにより、その先端部が降下して、前記シュータカバーの内部から前記現金取扱装置の前記入金口の内部に進出し、一方、前記ハンドルが上方向に摺動されることにより、その先端部が上昇して、前記現金取扱装置の前記入金口の内部から前記シュータカバーの内部に退避する
ことを特徴とする硬貨精査補助ユニット。
【請求項５】
請求項４に記載の硬貨精査補助ユニットにおいて、
さらに、前記ハンドルを摺動不能にロックするロックレバーを有し、
前記ロックレバーは、前記筐体に設けられたキーシリンダに挿し込まれるキーの回動に連動して動くことにより、前記ハンドルをロックする
ことを特徴とする硬貨精査補助ユニット。
【請求項６】
請求項３乃至請求項５のいずれか一項に記載の硬貨精査補助ユニットにおいて、
さらに、前記現金取扱装置が、前記出金口の内部に、前記硬貨を当該硬貨精査補助ユニットの前記取込口に放出するための開口部と、当該開口部を選択的に開放又は閉鎖するシャッタとを有する構成となっている場合に、閉鎖時の当該シャッタと当接する位置に、自身の動きに連動して前記固定部材を連動して動かす連動部材を有しており、
前記連動部材は、前記シャッタの開放時に、前記シャッタと当接せずに動くことにより、前記固定部材を動かして、前記固定部材と前記係合部とを係合させ、一方、前記シャッタの閉鎖時に、前記シャッタと当接して、その動きが規制されることにより、前記固定部材の動きを規制して、前記固定部材と前記係合部とを係合不能にする
ことを特徴とする硬貨精査補助ユニット。
【請求項７】
請求項３乃至請求項５のいずれか一項に記載の硬貨精査補助ユニットにおいて、
さらに、前記現金取扱装置が、前記出金口の内部に、前記硬貨を当該硬貨精査補助ユニットの前記取込口に放出するための開口部と、当該開口部を選択的に開放又は閉鎖するシャッタとを有する構成となっている場合に、閉鎖時の当該シャッタと当接する位置に、自身の動きに連動して前記固定部材を連動して動かす連動部材を有しており、
前記連動部材は、前記固定部材と一緒に動くことにより、前記固定部材と前記係合部とを係合させ、その途中で、前記シャッタと当接した場合に、前記シャッタを押圧して強制的に開放させる
ことを特徴とする硬貨精査補助ユニット。
【請求項８】
請求項１乃至請求項７のいずれか一項に記載の硬貨精査補助ユニットにおいて、
さらに、前記シュータの先端付近に設けられ、前記現金取扱装置の前記入金口の内部での前記硬貨のあふれの直前状態を検知するあふれセンサと、
前記分離部及び前記搬送部の動作を制御するユニット制御部とを有し、
前記ユニット制御部は、前記あふれセンサによって前記あふれの直前状態が検知された場合に、前記搬送部による前記硬貨の搬送速度を、通常時の第１設定速度から当該第１設定速度よりも低速の第２設定速度に変更する
ことを特徴とする硬貨精査補助ユニット。
【請求項９】
請求項８に記載の硬貨精査補助ユニットにおいて、
前記ユニット制御部は、前記搬送速度を前記第１設定速度から前記第２設定速度に変更した後に、前記あふれセンサによって前記あふれの直前状態が検知されなくなったときに、前記搬送速度を前記第２設定速度から前記第１設定速度に戻す
ことを特徴とする硬貨精査補助ユニット。
【請求項１０】
請求項８又は請求項９に記載の硬貨精査補助ユニットにおいて、
前記現金取扱装置が、前記入金口の底部に設けられた入金ベルトを走行させることによって、前記入金口に投入された前記硬貨を装置内部に取り込む場合の当該入金ベルトの走行速度を入金速度とし、
前記第１設定速度は、前記入金速度以上の速度であり、
前記第２設定速度は、前記入金速度よりも遅い速度である
ことを特徴とする硬貨精査補助ユニット。
【請求項１１】
請求項１乃至請求項１０のいずれか一項に記載の硬貨精査補助ユニットにおいて、
前記搬送部は、２本の搬送ベルトを備えており、
前記２本の搬送ベルトは、互いの間で前記硬貨を挟み込んだ状態で上方向に走行する上昇搬送部を構成しており、
前記上昇搬送部は、円弧状に形成されている
ことを特徴とする硬貨精査補助ユニット。
【請求項１２】
請求項１１に記載の硬貨精査補助ユニットにおいて、
前記上昇搬送部は、複数のローラによって支持されており、
前記複数のローラは、それぞれ、隣接する他のローラとの間に、最小径の金種の硬貨の径以上のピッチが確保されている
ことを特徴とする硬貨精査補助ユニット。
【請求項１３】
請求項１２に記載の硬貨精査補助ユニットにおいて、
さらに、前記分離部及び前記搬送部の動作を制御するユニット制御部を有するとともに、
前記分離部は、前記硬貨を前記搬送部に向けて搬送する分離ベルトを備えており、
前記ユニット制御部は、前記搬送部の前記２本の搬送ベルトの走行速度を前記分離部の前記分離ベルトの走行速度よりも速くすることにより、連続して搬送される前記硬貨と前記硬貨との間に、所定の硬貨搬送ピッチを確保する
ことを特徴とする硬貨精査補助ユニット。
【請求項１４】
硬貨が投入される入金口と、当該入金口よりも低い位置に設けられ、当該硬貨が放出される出金口とを有し、当該硬貨の精査処理を行う現金取扱装置において、
前記入金口及び前記出金口周りを被装着部とし、
前記出金口から前記硬貨を取り込む取込口と、前記入金口の上方から前記入金口に向けて前記硬貨を放出するシュータと、前記取込口から取り込まれた前記硬貨を１枚ずつに分離する分離部と、前記分離部によって分離された前記硬貨を前記シュータに搬送する搬送部と、前記現金取扱装置の前記入金口及び前記出金口周りを被装着部とし、当該被装着部に装着自在な形状に形成された筐体とを有し、前記硬貨の精査処理時に、前記出金口に放出された前記硬貨を前記入金口に投入して前記現金取扱装置の内部に還流させる硬貨精査補助ユニットが、当該被装着部に装着される
ことを特徴とする現金取扱装置。
【請求項１５】
請求項１４に記載の現金取扱装置において、
前記出金口は、筐体から突出して設けられており、
前記出金口の底部に、前記硬貨を前記硬貨精査補助ユニットに設けられた取込口に放出するための開口部と、当該開口部を選択的に開放又は閉鎖するシャッタとを有している
ことを特徴とする現金取扱装置。
【請求項１６】
請求項１５に記載の現金取扱装置において、
さらに、前記硬貨精査補助ユニットに設けられた固定部材と係合する係合部を有し、
前記入金口が前記硬貨精査補助ユニットに設けられたシュータの先端付近を引っ掛けるとともに、前記係合部が前記硬貨精査補助ユニットに設けられた固定部材と係合することにより、前記硬貨精査補助ユニットを固定支持する
ことを特徴とする現金取扱装置。
【請求項１７】
請求項１６に記載の現金取扱装置において、
さらに、前記硬貨精査補助ユニットに設けられた前記固定部材の位置に基づいて、前記硬貨精査補助ユニットが装着されたことを検知するユニットセットスイッチと、
前記ユニットセットスイッチによって前記硬貨精査補助ユニットの装着が検知された場合に、前記硬貨の精査処理の実行を可能にする本体制御部とを有し、
前記シャッタは、閉鎖時に、前記硬貨精査補助ユニットに設けられた、前記固定部材を連動して動かす連動部材の動きを規制する
ことを特徴とする現金取扱装置。
【請求項１８】
請求項１５に記載の現金取扱装置において、
さらに、前記出金口の内部に残留する前記硬貨を検知する残留センサと、
前記シャッタに設けられ、前記シャッタの開放時に前記残留センサの検知位置に移動する突起部と、
前記残留センサによって前記シャッタの開放が検知された場合に、硬貨の精査処理を開始する本体制御部とを有する
ことを特徴とする現金取扱装置。
【発明の詳細な説明】
【技術分野】
【０００１】
本発明は、現金取扱装置で行われる硬貨の精査処理を補助する硬貨精査補助ユニット、及び、当該硬貨精査補助ユニットを用いて硬貨の精査処理を行う現金取扱装置に関する。
【背景技術】
【０００２】
従来、現金を取り扱う現金取扱装置の中には、精査処理機能を有する装置があった。なお、「精査処理」とは、装置の内部の現金の有高を計数する処理（すなわち、装置の内部の貨幣の枚数を金種別に計数する処理）を意味している。
【０００３】
このような現金取扱装置としては、例えば、販売店等に設置されたキャッシュレジスタの下に配置される釣銭機等がある（例えば、特許文献１参照）。ここでは、その釣銭機が硬貨の精査処理を行う場合を想定して説明する。そのため、ここでは、硬貨を取り扱う機構を中心にして説明する。
【０００４】
釣銭機は、硬貨を取り扱う機構として、硬貨が投入される入金口と、硬貨を鑑別する鑑別部と、硬貨を各部に搬送する搬送部と、金種別に硬貨を収納する複数の収納庫と、硬貨を放出する出金口とを有する構成になっている。釣銭機は、硬貨の精査処理を行う場合に、以下のように動作する。
【０００５】
なお、ここでは、釣銭機は、事前に、上位装置であるキャッシュレジスタから、キャッシュレジスタによって計数された、管理上の現金の有高を表す情報（以下、「管理有高情報」と称する）を取得しているものとして説明する。
【０００６】
まず、釣銭機は、装置内部の同一金種の硬貨を出金口に放出する。なお、釣銭機の硬貨を放出する動作は、釣銭機を操作するオペレータから見た場合に、釣銭機から硬貨を回収する動作となる。以下、釣銭機の硬貨を放出する動作を「回収動作」と称する。
【０００７】
回収動作では、釣銭機は、搬送部が、精査する金種の収納庫の中から硬貨を順次取り出し、取り出された硬貨を出金口に搬送する。その際に、釣銭機は、計数手段が、硬貨の枚数をカウントする。
【０００８】
なお、硬貨は、出金口に搬送されると、出金口に放出される。このとき、オペレータは、硬貨が出金口からあふれそうな状態になると、硬貨を出金口から取り出して別の場所に移し替える。
【０００９】
オペレータは、硬貨が出金口に放出されなくなると、出金口に放出された硬貨を出金口から取り出して、取り出された全ての硬貨（別の場所に移し替えられた硬貨がある場合は、その硬貨を含む）を入金口に投入する。なお、釣銭機に硬貨を投入する動作は、オペレータから見た場合に、釣銭機に硬貨を補充する動作となる。以下、釣銭機に硬貨を投入する動作を「補充動作」と称する。
【００１０】
補充動作では、釣銭機は、搬送部が、入金口に投入された硬貨を、鑑別部に搬送する。このとき、鑑別部は、硬貨の金種を鑑別しながら、硬貨の枚数をカウントする。これにより、釣銭機は、その硬貨を精査する。そして、釣銭機は、搬送部が、精査された硬貨を該当する金種の収納庫に搬送して、硬貨を収納庫の中に収納する。
【００１１】
この後、釣銭機は、回収動作時の硬貨の枚数のカウント値と補充動作時の硬貨の枚数のカウント値とが一致することを確認し、さらに、補充動作時の硬貨の枚数のカウント値とキャッシュレジスタから取得された管理有高情報の値とが一致することを確認する。これにより、釣銭機は、一金種分の硬貨の精査処理を行う。
【００１２】
釣銭機は、このような動作を装置内部の全ての金種の硬貨に対して行う。これにより、釣銭機は、全ての金種分の硬貨の精査処理を行う。そして、釣銭機は、硬貨の精査処理の結果をオペレータに通知する。
【先行技術文献】
【特許文献】
【００１３】
【特許文献１】特開２０１０−２８２５１４号公報
【発明の概要】
【発明が解決しようとする課題】
【００１４】
しかしながら、従来の現金取扱装置は、硬貨の精査処理時に、オペレータが手作業で出金口に放出された硬貨を出金口から取り出して入金口に投入する必要があるため、オペレータに負担を強いる、という課題があった。
そのため、従来の現金取扱装置は、硬貨の精査処理時に、出金口に放出された硬貨を自動的に現金取扱装置の内部に還流させる機能が付与されることが望まれていた。
【００１５】
ただし、現金取扱装置は、釣銭機として構成されている場合に、キャッシュレジスタの下に配置されるため、寸法に制約があり、できるだけ小型な構成にする必要がある。また、現金取扱装置としての釣銭機は、硬貨を還流させる機能を実現する機構を設けるための空間が、入金口及び出金口周りに存在しない。
そこで、本発明の発明者は、これらの点を考慮した結果、アタッチメント型のユニットを現金取扱装置に装着し、そのユニットによって、出金口に放出された硬貨を自動的に現金取扱装置の内部に還流させる構成にすればよいと考えた。
【００１６】
本発明は、前記した課題を解決するためになされたものであり、現金取扱装置で行われる硬貨の精査処理時に、現金取扱装置の出金口に放出された硬貨を自動的に出金口から取り出して現金取扱装置の入金口に投入する硬貨精査補助ユニット、及び、当該硬貨精査補助ユニットを用いて硬貨の精査処理を行う現金取扱装置を提供することを主な目的とする。
【課題を解決するための手段】
【００１７】
前記目的を達成するため、第１発明は、硬貨が投入される入金口と、当該入金口よりも低い位置に設けられ、当該硬貨が放出される出金口とを有する現金取扱装置で行われる硬貨の精査処理を補助する硬貨精査補助ユニットであって、前記出金口から前記硬貨を取り込む取込口と、前記入金口の上方から前記入金口に向けて前記硬貨を放出するシュータと、前記取込口から取り込まれた前記硬貨を１枚ずつに分離する分離部と、前記分離部によって分離された前記硬貨を前記シュータに搬送する搬送部と、前記現金取扱装置の前記入金口及び前記出金口周りを被装着部とし、当該被装着部に装着自在な形状に形成された筐体とを有し、前記硬貨の精査処理時に、前記出金口に放出された前記硬貨を前記入金口に投入して前記現金取扱装置の内部に還流させる構成とする。
【００１８】
この硬貨精査補助ユニットは、現金取扱装置の入金口及び出金口周りを被装着部とし、筐体がその被装着部に装着自在な形状に形成されている。そのため、この硬貨精査補助ユニットは、現金取扱装置の入金口及び出金口周りに装着することができる。
【００１９】
また、この硬貨精査補助ユニットは、取込口と、分離部と、搬送部と、シュータとを有する構成になっている。そして、この硬貨精査補助ユニットは、取込口を介して、現金取扱装置の出金口から、出金口に放出された硬貨を内部に取り込み、取込口から取り込まれた硬貨を分離部によって１枚ずつに分離し、１枚ずつに分離された硬貨を搬送部によってシュータに搬送し、シュータを介して、現金取扱装置の入金口の上方から入金口に向けて硬貨を放出する。
【００２０】
したがって、この硬貨精査補助ユニットは、現金取扱装置で行われる硬貨の精査処理時に、現金取扱装置の出金口に放出された硬貨を自動的に出金口から取り出して現金取扱装置の入金口に投入する。その結果、この硬貨精査補助ユニットは、出金口に放出された硬貨を自動的に現金取扱装置の内部に還流させることができる。
【００２１】
また、第２発明は、硬貨が投入される入金口と、当該入金口よりも低い位置に設けられ、当該硬貨が放出される出金口とを有し、当該硬貨の精査処理を行う現金取扱装置であって、前記入金口及び前記出金口周りを被装着部とし、第１発明に係る硬貨精査補助ユニットが当該被装着部に装着される構成とする。
【００２２】
この現金取扱装置は、第１発明に係る硬貨精査補助ユニットが被装着部に装着されるため、硬貨の精査処理時に、出金口に放出された硬貨を自動的に装置内部に取り込む（還流する）ことができる。
【発明の効果】
【００２３】
本発明によれば、現金取扱装置で行われる硬貨の精査処理時に、現金取扱装置の出金口に放出された硬貨を自動的に現金取扱装置の内部に還流させることができる。
【図面の簡単な説明】
【００２４】
【図１Ａ】実施形態１に係る現金取扱装置の主要部の斜視図である。
【図１Ｂ】実施形態１に係る現金取扱装置の被装着部周りの構成を示す図である。
【図２】実施形態１に係る現金取扱装置の構成を示すブロック図である。
【図３】実施形態１に係る硬貨精査補助ユニットの斜視図である。
【図４】実施形態１に係る硬貨精査補助ユニットの側面図である。
【図５】実施形態１に係る硬貨精査補助ユニットの内部の主要な構成を示す図である。
【図６】実施形態１に係る硬貨精査補助ユニットと現金取扱装置との関係を示す図である。
【図７】実施形態１に係る硬貨精査補助ユニットのシュータ及びハンドル周りの概略構成を示す図である。
【図８】実施形態１に係る硬貨精査補助ユニットのハンドル周りの概略構成を示す図である。
【図９】実施形態１に係る硬貨精査補助ユニットの細部の構成を示す図（１）である。
【図１０】実施形態１に係る硬貨精査補助ユニットの細部の構成を示す図（２）である。
【図１１】実施形態１に係る硬貨精査補助ユニットの細部の構成を示す図（３）である。
【図１２】実施形態１に係る現金取扱装置の出金口周りの構成を示す図（１）である。
【図１３】実施形態１に係る現金取扱装置の出金口周りの構成を示す図（２）である。
【図１４】実施形態１に係る現金取扱装置の動作を示すフローチャートである。
【図１５Ａ】比較例に係る硬貨精査補助ユニットの動作を示すフローチャートである。
【図１５Ｂ】実施形態１に係る硬貨精査補助ユニットの動作を示すフローチャートである。
【図１６】実施形態１で用いる設定速度の一例を示す図である。
【図１７Ａ】比較例に係る硬貨精査補助ユニットの搬送部の構成を示す図である。
【図１７Ｂ】実施形態１に係る硬貨精査補助ユニットの搬送部の構成を示す図である。
【図１８】実施形態２に係る硬貨精査補助ユニットの構成を示す図である。
【図１９】実施形態３に係る現金取扱装置の構成を示す図である。
【図２０】実施形態３に係る現金取扱装置の動作を示すフローチャートである。
【発明を実施するための形態】
【００２５】
以下、図面を参照して、本発明の実施の形態（以下、「本実施形態１」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２６】
［実施形態１］
＜現金取扱装置の構成＞
本実施形態１に係る現金取扱装置１は、現金を取り扱う装置である。現金取扱装置１は、精査処理機能を有している。なお、「精査処理」とは、装置の内部の現金の有高を計数する処理（すなわち、装置の内部の貨幣の枚数を金種別に計数する処理）を意味している。
【００２７】
ここでは、現金取扱装置１が、例えば、販売店等に設置されたキャッシュレジスタの下に配置される釣銭機（以下、「釣銭機１」と称する）として構成されている場合を想定して説明する。また、ここでは、その釣銭機１が硬貨の精査処理を行う場合を想定して説明する。そのため、ここでは、硬貨を取り扱う機構を中心にして説明する。
【００２８】
以下、図１Ａ、図１Ｂ、及び、図２を参照して、本実施形態１に係る現金取扱装置としての釣銭機１の構成につき説明する。図１Ａは、実施形態１に係る現金取扱装置の主要部の斜視図である。図１Ｂは、実施形態１に係る現金取扱装置の被装着部周りの構成を示す図である。図２は、実施形態１に係る現金取扱装置の構成を示すブロック図である。
【００２９】
図１Ａに示すように、本実施形態１に係る現金取扱装置としての釣銭機１は、操作部３、並びに、硬貨を取り扱う機構として、入金口４、出金口５、及び、リジェクト口６を有している。なお、図１Ａ（ａ）は、斜め前方から見た、実施形態１に係る現金取扱装置としての釣銭機１の主要部の構成を示しており、図１Ａ（ｂ）は、斜め後方から見た釣銭機１の主要部の構成を示している。
【００３０】
操作部３は、オペレータによって操作される構成要素である。図１Ａに示す例では、操作部３は、入力部３ａと表示部３ｂとを備える構成になっている。入力部３ａは、テンキーや十字キー等によって構成されており、各種の指示や情報が入力される。表示部３ｂは、ＬＣＤ等によって構成されており、各種の情報が表示される。
【００３１】
入金口４は、入金用の硬貨が投入される開口部である。
出金口５は、出金用の硬貨が放出される開口部である。
リジェクト口６は、金種が鑑別不能な硬貨や、異物等が、放出される開口部である。
【００３２】
本実施形態１では、釣銭機１は、後記する補助ユニット１００（図３参照）に電力を供給するためのジャック（以下、「電力供給用ジャック（図示せず）」と称する）が、出金口５の右側の位置に設けられている。
【００３３】
なお、図１Ａに示す例では、操作部３は、筐体２の前方側の上面の右端の位置から、左方向に、筐体２の全幅の２分の１程度の幅で設けられている。また、入金口４は、筐体２の前方側の上面の左端付近の位置から、右方向に、筐体２の全幅の３分の１程度の幅で設けられている。また、出金口５は、筐体２の前方側の、入金部４の右斜め下の位置に、筐体２の全幅の６分の１程度の幅で設けられている。また、リジェクト口６は、筐体２の前方側の、出金口５の左側の位置に、筐体２の全幅の１０分の１程度の幅で設けられている。
【００３４】
釣銭機１は、筐体２の入金口４及び出金口５の周りの部分が被装着部７となり、本実施形態１に係る硬貨精査補助ユニット１００（以下、単に「補助ユニット１００」と称する）の後記する装着部１０５（図３参照）がその被装着部７に嵌め合わされる。これにより、補助ユニット１００が、釣銭機１に装着される。
【００３５】
被装着部７は、上面７ａから下面７ｂまでの高さが「Ｔ１」となっている（図１Ａ（ａ）参照）。被装着部７の高さＴ１は、デファクトスタンダードになっている値が存在する。そのため、補助ユニット１００の後記する装着部１０５の高さＴ２（図３参照）は、被装着部７のそのデファクトスタンダードとなっている高さＴ１の値に合わせて、高さＴ１の値よりも若干大きな値に設定されている。
【００３６】
なお、釣銭機１は、機種毎に、被装着部７の入金口４や開口部５ａの位置を違えて設計することができる。ただし、この場合に、補助ユニット１００は、後記するシュータ３０１（図３（ｂ）参照）の先端部が釣銭機１の入金口４の中に挿入自在な構成になるとともに、後記する取込口１０９（図３（ｂ）参照）が釣銭機１の開口部５ａの下に配置された構成になるように、装着の対象となる釣銭機１の機種に合わせて、設計される必要がある。
【００３７】
図１Ｂに示すように、出金口５は、その底部に、開口部５ａとシャッタ９とが設けられている。
開口部５ａは、硬貨を後記する補助ユニット１００の取込口１０９の中に放出するための開口である。
シャッタ９は、開口部５ａを選択的に開放又は閉鎖する板状の部材である。
【００３８】
図２に示すように、釣銭機１は、本体制御部１１、記憶部１２、通信部１３、鑑別部１４、搬送部１５、収納部１６、投入センサＳＮ１、残留センサＳＮ２、及び、ユニットセットスイッチＳＷ１を有している。
【００３９】
本体制御部１１は、鑑別部１４や搬送部１５等の各部の動作を制御する機能手段である。
記憶部１２は、各種の情報を記憶する記憶手段である。
通信部１３は、外部装置（ここでは、上位装置としてのキャッシュレジスタ９９）と通信する構成要素である。
鑑別部１４は、貨幣（硬貨及び紙幣）の金種を鑑別する構成要素である。
【００４０】
搬送部１５は、貨幣を所定の部位に搬送する構成要素である。搬送部１５は、入金ベルト４１を備えている。入金ベルト４１は、入金口４に投入された硬貨を釣銭機１の内部に取り込む搬送手段である。入金ベルト４１は、入金口４の底部に設けられている（図７参照）。
収納部１６は、貨幣を収納する部位である。収納部１６は、金種別に貨幣を収納する複数の収納庫１７を備えている。
【００４１】
投入センサＳＮ１は、入金口４への硬貨の投入を検知するセンサである。
残留センサＳＮ２は、出金口５の内部に残留する硬貨を検知するセンサである。
ユニットセットスイッチＳＷ１は、補助ユニット１００が釣銭機１に装着された場合に、本体制御部１１の動作状態を、硬貨の精査処理が実行不能な状態（以下、「精査不能状態」と称する）から実行可能な状態（以下、「精査可能状態」と称する）に切り替えさせるためのスイッチである。
【００４２】
なお、本実施形態１では、記憶部１２は、管理有高情報１２ａ、回収カウント情報１２ｂ、補充カウント情報１２ｃ、精査記録情報１２ｄ等の情報を記憶する。
【００４３】
管理有高情報１２ａは、上位装置であるキャッシュレジスタ９９によって計数された、管理上の現金の有高を表す情報である。管理有高情報１２ａは、硬貨の精査処理を行う前に、通信部１３を介して、キャッシュレジスタ９９から取得される。
回収カウント情報１２ｂは、回収動作時にカウントされた硬貨の枚数を表す情報である。
補充カウント情報１２ｃは、補充動作時にカウントされた硬貨の枚数を表す情報である。
精査記録情報１２ｄは、実行された硬貨の精査処理の日時や結果等の記録を表す情報である。
【００４４】
＜硬貨精査補助ユニットの構成＞
（硬貨精査補助ユニットの全体構成）
本実施形態１に係る補助ユニット１００は、現金取扱装置（ここでは、釣銭機１）に装着されるアタッチメント型の装置である。補助ユニット１００は、現金取扱装置で行われる硬貨の精査処理時に、現金取扱装置の出金口５に放出された硬貨を自動的に現金取扱装置の内部に還流させることにより、硬貨の精査処理を補助する。
【００４５】
以下、図３及び図４を参照して、本実施形態１に係る補助ユニット１００の全体構成につき説明する。図３は、実施形態１に係る硬貨精査補助ユニットの斜視図である。図４は、実施形態１に係る硬貨精査補助ユニットの側面図である。
【００４６】
図３及び図４に示すように、本実施形態１では、補助ユニット１００の筐体１０１が、フロントカバー１０２とリヤカバー１０３とによって構成されている。なお、図３（ａ）は、斜め前方から見た補助ユニット１００の構成を示しており、図３（ｂ）は、斜め後方から見た補助ユニット１００の構成を示している。また、図４は、右側から見た、補助ユニット１００の構成を示している。
【００４７】
フロントカバー１０２は、補助ユニット１００の内部の機構を前方から覆って保護する部材である。フロントカバー１０２は、補助ユニット１００が釣銭機１に装着されるときに、オペレータと対向する側の部材となる。フロントカバー１０２は、後記する取付パネル２０１（図５参照）の前面側に取り付けられている。本実施形態１では、フロントカバー１０２は、左側の上端部及び下端部が取付パネル２０１に設けられたピン状の突起部によって軸支されており、突起部を中心にして取付パネル２０１の前面側で横方向に回動する構成になっている。
【００４８】
図３に示すように、フロントカバー１０２は、前面、上面、下面（図示せず）、右面、及び、左面がそれぞれ平坦な面で構成された略直方体の形状になっている。なお、フロントカバー１０２の前面は、補助ユニット１００が釣銭機１に装着されるときに、オペレータと対面する側の面（以下、「オペレータとの対向面」と称する）となる。
【００４９】
フロントカバー１０２は、鍵穴１２１（図３（ａ）参照）が、前面（すなわち、オペレータとの対向面）の後記する取込口１０９（図３（ｂ）参照）の下方の位置に設けられている。その鍵穴１２１の奥には、キーシリンダ１２２（図７参照）が設けられている。オペレータは、釣銭機１に硬貨の精査処理を実行させる場合に、鍵穴１２１を介して、キー１２０（図７参照）をキーシリンダ１２２に挿し込み、予め定められた精査実行位置までキー１２０を回転させる。これにより、オペレータは、キーシリンダ１２２を回動させる。
【００５０】
なお、「精査実行位置」とは、釣銭機１の本体制御部１１の動作状態を、精査不能状態（硬貨の精査処理が実行不能な状態）から精査可能状態（硬貨の精査処理が実行可能な状態）に切り替えさせるための位置を意味している。ここでは、「精査実行位置」が、キー１２０を右側に約９０度回転させた位置であるものとして説明する。
【００５１】
一方、リヤカバー１０３は、補助ユニット１００の内部の機構を後方から覆って保護する部材である。リヤカバー１０３は、補助ユニット１００が釣銭機１に装着されるときに、釣銭機１と対向する側の部材となる。リヤカバー１０３は、後記する取付パネル２０１の後面側に取り付けられている。本実施形態１では、リヤカバー１０３は、左側の上端部及び下端部が取付パネル２０１に設けられたピン状の突起部によって軸支されており、その突起部を中心にして取付パネル２０１の後面側で横方向に回動する構成になっている。
【００５２】
なお、本実施形態１では、リヤカバー１０３は、略中央に設けられた凹部１０４（図３（ｂ）参照）によって、上部部分１０３ａと下部部分１０３ｂとに分断された構成になっている。
【００５３】
図３（ｂ）に示すように、リヤカバー１０３の上部部分１０３ａは、後面、上面、下面（図示せず）、右面（図３（ｂ）中、左側に配置された面）、及び、左面（図３（ｂ）中、右側に配置された面）がそれぞれ平坦な面で構成された略直方体の形状になっている。なお、リヤカバー１０３の後面は、補助ユニット１００が釣銭機１に装着されるときに、釣銭機１と対面する側の面（以下、「釣銭機１との対向面」と称する）となる。
【００５４】
また、図３（ｂ）に示すように、リヤカバー１０３の下部部分１０３ｂは、後面、上面、下面（図示せず）、右面、及び、左面がそれぞれ平坦な面で構成された略直方体の形状になっている。
【００５５】
リヤカバー１０３は、凹部１０４（図３（ｂ）参照）が、上部部分１０３ａと下部部分１０３ｂとの間に設けられている。凹部１０４は、補助ユニット１００が釣銭機１に装着されるときに、釣銭機１の出金口５（図１Ａ及び図１Ｂ参照）及びリジェクト口６（図１Ａ及び図１Ｂ参照）が入り込む空間である。
【００５６】
また、リヤカバー１０３は、突出部１０６（図３（ｂ）及び図４参照）が、上部部分１０３ａの後面（すなわち、釣銭機１との対向面）に設けられている。突出部１０６は、補助ユニット１００が釣銭機１に装着されるときに、釣銭機１の出金口５（図１Ａ及び図１Ｂ参照）の上を覆う部位である。突出部１０６は、リヤカバー１０３の上部部分１０３ａの後面の、釣銭機１の出金口５の上方の位置に設けられている。
【００５７】
また、リヤカバー１０３は、シュータカバー３０２（図３及び図４参照）が、上部部分１０３ａの後面に設けられている。シュータカバー３０２は、補助ユニット１００が釣銭機１に装着されるときに、後記するシュータ３０１及び釣銭機１の入金口４（図１Ａ及び図１Ｂ参照）を覆う部位である。シュータカバー３０２は、リヤカバー１０３の上部部分１０３ａの後面の、釣銭機１の入金口４の上方の位置に設けられている。
【００５８】
係る構成において、リヤカバー１０３は、シュータカバー３０２の下端部３０２ｂ（図３（ａ）参照）からリヤカバー１０３の下部部分１０３ｂの上面１０３ｂａまでの部分が、装着部１０５となる。補助ユニット１００は、その装着部１０５が釣銭機１の被装着部７に嵌め合わされることにより、釣銭機１に装着される。
【００５９】
装着部１０５は、その高さが「Ｔ２」となっている（図３（ａ）参照）。装着部１０５の高さＴ２は、釣銭機１の被装着部７の高さＴ１（図１Ａ（ａ）参照）の値に合わせて、高さＴ１の値よりも若干大きな値に設定されている。
【００６０】
また、リヤカバー１０３は、取込口１０９（図３（ｂ）参照）が、下部部分１０３ｂの上面１０３ｂａに設けられている。取込口１０９は、釣銭機１の出金口５（図１Ａ及び図１Ｂ参照）に放出される硬貨を補助ユニット１００の内部に取り込む開口部である。
【００６１】
取込口１０９は、漏斗状に形成されている。取込口１０９は、その上端部が、リヤカバー１０３の下部部分１０３ｂの上面１０３ｂａに配置されており、また、その下端部が、後記する分離部２１０（図５（ａ）参照）の上方に配置されている。
【００６２】
取込口１０９は、補助ユニット１００が釣銭機１に装着されたときに、その上端部が、出金口５の底部に設けられた開口部５ａ（図１Ｂ参照）と対向する。したがって、取込口１０９は、補助ユニット１００が釣銭機１に装着されたときに、リヤカバー１０３の下部部分１０３ｂの上面１０３ｂａの、釣銭機１の出金口５の直下となる位置に設けられている。取込口１０９は、その上端部が釣銭機１の出金口５よりも広く形成されている。
【００６３】
補助ユニット１００は、釣銭機１のシャッタ９（図１Ｂ参照）が開放されて、硬貨が釣銭機１の出金口５に放出されたときに、開口部５ａ及び取込口１０９を介して、釣銭機１の出金口５（図１Ａ及び図１Ｂ参照）に放出された硬貨を、その内部に取り込む。そして、補助ユニット１００は、漏斗状に形成された取込口１０９によって、取り込まれた硬貨を後記する分離部２１０（図５（ａ）参照）に導く。
【００６４】
図３（ｂ）に示すように、本実施形態１では、補助ユニット１００は、リヤカバー１０３の下部部分１０３ｂの内部に、第１レバー１２４及び第２レバー１２５を有している。第１レバー１２４及び第２レバー１２５は、補助ユニット１００の内部に設けられたキーシリンダ１２２（図７参照）の先端付近に連結されている。
【００６５】
第１レバー１２４は、第２レバー１２５と一緒に連動して回動する部材である。第１レバー１２４は、特許請求の範囲に記載された「連動部材」に相当する。
第２レバー１２５は、後記するシュータ３０１とともに、釣銭機１の被装着部７を上下方向から挟み込むことにより、補助ユニット１００を釣銭機１の被装着部７に固定する部材である。第２レバー１２５は、特許請求の範囲に記載された「固定部材」に相当する。
【００６６】
第１レバー１２４及び第２レバー１２５は、オペレータがキー１２０を回転させてキーシリンダ１２２を回動させることにより、それぞれの先端部がキーシリンダ１２２を軸にして一緒に回動する。このとき、第１レバー１２４及び第２レバー１２５のそれぞれの先端部は、取込口１０９を通って、リヤカバー１０３の下部部分１０３ｂの内部から外部に突出するように回動する。
【００６７】
このとき、第１レバー１２４は、シャッタ９が閉鎖されていると、シャッタ９と当接する。その結果、第１レバー１２４は、キーシリンダ１２２の回動（すなわち、第２レバー１２５の回動）を規制する。そのため、この場合に、キーシリンダ１２２及び第２レバー１２５は、前記した精査実行位置まで回動することができない。
【００６８】
一方、このとき、第１レバー１２４は、シャッタ９が開放されていると、シャッタ９と当接しない。そのため、この場合に、第１レバー１２４は、キーシリンダ１２２の回動（すなわち、第２レバー１２５の回動）を規制しない。そのため、この場合に、キーシリンダ１２２及び第２レバー１２５は、前記した精査実行位置まで回動することができる。
【００６９】
なお、第２レバー１２５は、前記した精査実行位置まで回動すると、先端部がユニットセットスイッチＳＷ１（図２及び図１２参照）を押下する。これにより、ユニットセットスイッチＳＷ１は、オン状態になる。したがって、第２レバー１２５は、ユニットセットスイッチＳＷ１を選択的にオン状態又はオフ状態にする部材としても機能する。
【００７０】
また、本実施形態１では、補助ユニット１００は、シュータ３０１（図３（ｂ）及び図４参照）を有している。シュータ３０１は、補助ユニット１００の内部に取り込まれた硬貨を、釣銭機１の入金口４（図１Ａ及び図１Ｂ参照）の上方から入金口４に向けて放出する構成要素である。
【００７１】
シュータ３０１は、リヤカバー１０３の上部部分１０３ａの後面を介して、補助ユニット１００の内部から外部に突出する構成になっている。シュータ３０１は、補助ユニット１００が釣銭機１に装着されるときに、その先端部が釣銭機１の入金口４の中に挿入される。したがって、シュータ３０１は、先端部が釣銭機１の入金口４の中に挿入可能な位置に設けられている。
【００７２】
シュータ３０１は、後記するポスト３０５（図９（ｂ）参照）を支点にして、その先端部が上下方向（図４の矢印Ｂ参照）に回動する構成になっている。シュータ３０１は、補助ユニット１００がオペレータによって持ち運ばれるときに、先端部が上昇してシュータカバー３０２の外部から内部に収納される。一方、シュータ３０１は、補助ユニット１００が釣銭機１に装着されるときに、先端部が下降してシュータカバー３０２の内部から外部に突出する。オペレータは、そのシュータ３０１の先端部を釣銭機１の入金口４の中に挿入する。
【００７３】
また、本実施形態１では、補助ユニット１００は、ハンドル１１０を有している。ハンドル１１０は、補助ユニット１００が持ち運ばれる際に、オペレータによって把持される構成要素である。図示例では、ハンドル１１０は、リヤカバー１０３の上部部分１０３ａの上面を介して、補助ユニット１００の内部から外部に突出している。
【００７４】
なお、図示例では、ハンドル１１０は、把持される部位（後記するグリップ部１１２（図８参照））の内部が剥き出しの状態になっている。しかしながら、実際は、オペレータが握り易いように、保護部材がその部位に取り付けられる。
【００７５】
ハンドル１１０は、上下方向（図４の矢印Ａ参照）に摺動自在な構成になっている。ハンドル１１０は、補助ユニット１００がオペレータによって持ち運ばれるときに、オペレータによって上方向に摺動させられる。また、ハンドル１１０は、補助ユニット１００が釣銭機１に装着されるときに、オペレータによって下方向に摺動させられる。
【００７６】
なお、本実施形態１では、補助ユニット１００は、後記するように、ハンドル１１０の上下方向の摺動に連動して、シュータ３０１の先端部が上下方向に回動する構成になっている。
【００７７】
また、本実施形態１では、補助ユニット１００は、電源ケーブル１９９（図３（ｂ）及び図４参照）が、取込口１０９の周囲で、補助ユニット１００の内部から外部に引き出された構成になっている。
【００７８】
補助ユニット１００は、オペレータによって電源ケーブル１９９（図１Ａ（ａ））の先端に設けられたプラグ（図示せず）が釣銭機１の前記の電力供給用ジャック（図示せず）に挿入されることにより、釣銭機１から電力が供給される。なお、本実施形態１では、電力供給用ジャック（図示せず）は、釣銭機１の出金口５の右側の位置に設けられている。
【００７９】
補助ユニット１００は、釣銭機１から電力が供給されると、後記する分離部２１０（図５（ａ）参照）及び後記する搬送部２２０（図５（ａ）参照）が、釣銭機１で行われる硬貨の精査処理から独立して（すなわち、釣銭機１で行われる硬貨の精査処理とは無関係に）駆動する。
【００８０】
（硬貨精査補助ユニットの内部の主要な構成）
以下、図５を参照して、補助ユニット１００の内部の主要な構成につき説明する。図５は、実施形態１に係る補助ユニット１００の内部の主要な構成を示す図である。図５（ａ）は、斜め前方から見た補助ユニット１００の内部の主要な構成を示しており、図５（ｂ）は、斜め後方から見た補助ユニット１００の内部の主要な構成を示している。
【００８１】
図５（ａ）に示すように、補助ユニット１００は、内部に、板状の取付パネル２０１が設けられている。その取付パネル２０１の前面側には、ユニット制御部２０６、分離部２１０、及び、搬送部２２０が取り付けられている。
【００８２】
ユニット制御部２０６は、分離部２１０及び搬送部２２０の動作を制御する構成要素である。
分離部２１０は、取込口１０９から取り込まれた硬貨を１枚ずつに分離する構成要素である。分離部２１０は、分離ベルト２１１及びモータ２０７ａを有している。分離ベルト２１１は、取込口１０９から取り込まれた硬貨を搬送部２２０の方向に搬送して、硬貨を１枚ずつに分離しながら搬送部２２０の第１搬送ベルト２２１及び第２搬送ベルト２２２に受け渡す部材である。モータ２０７ａは、分離ベルト２１１を走行させる駆動源である。
【００８３】
搬送部２２０は、分離部２１０によって分離された硬貨をシュータ３０１に搬送する構成要素である。搬送部２２０は、第１搬送ベルト２２１、第２搬送ベルト２２２、及び、モータ２０７ｂを有している。第１搬送ベルト２２１及び第２搬送ベルト２２２は、分離ベルト２１１から受け渡された硬貨を互いの間で挟み込みながらシュータ３０１の後端部に搬送する部材である。モータ２０７ｂは、第１搬送ベルト２２１及び第２搬送ベルト２２２を走行させる駆動源である。
【００８４】
図５（ｂ）に示すように、取付パネル２０１の後面側には、ハンドル１１０及びシュータ３０１が取り付けられている。なお、シュータ３０１は、その後端部が、取付パネル２０１の後面側から前面側に貫通する構成になっている。また、シュータ３０１は、あふれセンサＳＮ３が、その先端部に設けられている。あふれセンサＳＮ３は、硬貨が釣銭機１の入金口４（図１Ａ及び図１Ｂ参照）からあふれそうな状態になっている場合に、その状態（以下、「あふれの直前状態」と称する）を検出するセンサである。
【００８５】
（硬貨精査補助ユニットと現金取扱装置との関係）
以下、図６を参照して、補助ユニット１００と現金取扱装置（ここでは、釣銭機１）との関係につき説明する。図６は、実施形態１に係る硬貨精査補助ユニットと現金取扱装置との関係を示す図である。図６（ａ）は、斜め前方から見た、釣銭機１に装着された補助ユニット１００の構成を示しており、図６（ｂ）は、斜め後方から見た、釣銭機１に装着された補助ユニット１００の構成の構成を示している。
【００８６】
図６に示すように、補助ユニット１００は、釣銭機１での精査処理時に、補助ユニット１００の装着部１０５が釣銭機１の被装着部７に嵌め合わされる。これにより、補助ユニット１００が、釣銭機１に装着される。
【００８７】
このとき、補助ユニット１００のシュータ３０１（図３（ｂ）、図４、及び、図５（ｂ）参照）は、その先端部が、釣銭機１の入金口４（図１Ｂ参照）の中に挿入される。また、補助ユニット１００のシュータカバー３０２（図３及び図４参照）は、補助ユニット１００のシュータ３０１とともに、釣銭機１の入金口４の上を覆う。また、補助ユニット１００の取込口１０９（図３（ｂ）参照）は、釣銭機１の出金口５の底部に設けられた開口部５ａ（図１Ｂ参照）の下に配置される。
【００８８】
（硬貨精査補助ユニットの固定構造及び精査処理時の取り外し防止構造）
以下、図７及び図８を参照して、補助ユニット１００の固定構造及び精査処理時の取り外し防止構造につき説明する。図７は、実施形態１に係る硬貨精査補助ユニットのシュータ及びハンドル周りの概略構成を示す図である。また、図８は、実施形態１に係る硬貨精査補助ユニットのハンドル周りの概略構成を示す図である。図７は、右側から見た、釣銭機１に装着された補助ユニット１００の概略構成を、釣銭機１を除外して示している。図８は、正面から見た、後記するハンドルロック機構１１４の概略構成を示している。
【００８９】
補助ユニット１００は、釣銭機１での硬貨の精査処理時に、シュータ３０１の先端部が釣銭機１の入金口４の中に挿入される構成になっている。その補助ユニット１００は、釣銭機１に装着する際に、釣銭機１を傷つけることなく、釣銭機１の被装着部７に固定する必要がある。そこで、本実施形態１では、補助ユニット１００は、釣銭機１を傷つけることなく、釣銭機１の被装着部７に固定するために、例えば、図７に示すように構成されている。
【００９０】
例えば、図７に示すように、本実施形態１では、補助ユニット１００は、後記するポスト３０５（図９（ｂ）参照）を支点にして、シュータ３０１の先端部を上下方向（矢印Ｂ参照）に回動させるシュータ回動機構３０３を有する構成になっている。また、補助ユニット１００は、シュータ３０１の先端部を釣銭機１の入金口４の内部に挿入させるとともに、第２レバー１２５を釣銭機１の出金口５の底部に引っ掛ける構成になっている。
【００９１】
このような補助ユニット１００は、シュータ３０１と第２レバー１２５とが釣銭機１の被装着部７を上下方向から挟み込むことにより、釣銭機１の被装着部７に固定される。その結果、補助ユニット１００は、釣銭機１に装着する際に、釣銭機１を傷つけることなく、釣銭機１の被装着部７に固定することができる。なお、シュータ回動機構３０３の詳細な構成については、後記する。
【００９２】
また、補助ユニット１００は、釣銭機１での硬貨の精査処理時に、釣銭機１から取り外されると、硬貨が、釣銭機１の出金口５の開口部５ａや補助ユニット１００のシュータ３０１の先端部から、釣銭機１及び補助ユニット１００の外部にこぼれる。そのため、この場合に、釣銭機１は、正常に硬貨の精査処理を行うことができなくなる。そこで、本実施形態１では、補助ユニット１００は、釣銭機１での硬貨の精査処理時に、釣銭機１からの取り外しを防止するために、例えば、図７及び図８に示すように構成されている。
【００９３】
例えば、図７に示すように、本実施形態１では、補助ユニット１００は、シュータ回動機構３０３が、ハンドル１１０の上下方向（矢印Ａ参照）の摺動に連動してシュータ３０１の先端部を上下方向（矢印Ｂ参照）に回動させる構成になっている。そして、図７及び図８に示すように、補助ユニット１００は、釣銭機１での硬貨の精査処理時に、そのハンドル１１０が摺動しないように、ハンドル１１０を一時的にロックするハンドルロック機構１１４を有する構成になっている。
【００９４】
ハンドルロック機構１１４は、ハンドル１１０に設けられた係合部１１３に係合するロックレバー１２３によって構成されている。ロックレバー１２３は、硬貨の精査処理中にハンドル１１０が引き上げられないように、補助ユニット１００の釣銭機１への装着時に、オペレータによって回転されるキー１２０の回転に連動して、その先端部１２３ｂが回動する構成になっている。
【００９５】
具体的には、図８に示すように、ロックレバー１２３は、長尺な板状の部材として形成されている。ロックレバー１２３は、ピン１２３ａによって長手方向の中間付近で取付パネル２０１に軸支されている。ロックレバー１２３は、ピン１２３ａを支点にして回動する。以下、ピン１２３ａを「レバー支点」と称する場合もある。
【００９６】
ロックレバー１２３は、先端部１２３ｂがハンドル１１０の係合部１１３の周囲に配置されている。ロックレバー１２３は、ハンドル１１０が最下点の位置まで下方向に摺動されている場合に、先端部１２３ｂが右面（図８では、左側に配置された面）側からハンドル１１０の係合部１１３に設けられた溝１１３ａの内部に進入可能な構成になっている。
【００９７】
また、ロックレバー１２３は、後端部１２３ｃがキーシリンダ１２２の胴体部分１２２ａの周囲に配置されている。ロックレバー１２３は、オペレータによってキー１２０が回転されてキーシリンダ１２２が回動すると、後端部１２３ｃがキーシリンダ１２２の胴体部分１２２ａに設けられた突出部１２２ｂと当接する。
【００９８】
ロックレバー１２３は、長手方向の数箇所で、折り曲げられた構成となっている（図７参照）。これにより、ロックレバー１２３は、先端部１２３ｂがハンドル１１０の係合部１１３と直交する構成になっている（図９（ｂ）参照）。また、ロックレバー１２３は、後端部１２３ｃがキーシリンダ１２２の胴体部分１２２ａに設けられた突出部１２２ｂと直交して当接する構成になっている。
【００９９】
ロックレバー１２３は、先端付近にバネ１２６が取り付けられている。ロックレバー１２３は、バネ１２６によって、先端部１２３ｂがハンドル１１０から離間するように、付勢されている。そのため、ロックレバー１２３は、通常、先端部１２３ｂが、ハンドル１１０の係合部１１３に設けられた溝１１３ａの外に出た状態になっている。なお、バネ１２６は、一端が取付パネル２０１に固定されており、他端がロックレバー１２３の先端付近に取り付けられている。
【０１００】
一方、ハンドル１１０は、ハンドル１１０を取付パネル２０１に摺動自在に取り付けるためのベース部１１１と、オペレータによって把持されるグリップ部１１２とを有する構成になっている。ベース部１１１は、グリップ部１１２の左右に２つ設けられている。２つのベース部１１１のうち、一方のベース部１１１は、ロックレバー１２３と係合する係合部１１３を備えている。
【０１０１】
係合部１１３は、板状に形成されている。係合部１１３は、板面が取付パネル２０１に対向して平行に配置されるように（図９（ｂ）参照）、ベース部１１１から垂直に突出して設けられている。
【０１０２】
係合部１１３は、板面の一部に溝１１３ａが形成されている。溝１１３ａは、ベース部１１１から離間する方向に開口して形成されている。溝１１３ａは、ロックレバー１２３に設けられた先端部１２３ｂの幅よりも若干大きな幅に形成されている。溝１１３ａは、ハンドル１１０が最下点の位置まで下方向に摺動されている場合に、ロックレバー１２３の先端部１２３ｂがその内部に進入可能な位置に設けられている。
【０１０３】
このようなハンドルロック機構１１４は、硬貨の精査処理時に、補助ユニット１００が釣銭機１に装着されて、オペレータがキー１２０を前記した精査可能位置まで回転させると、キーシリンダ１２２が回動し、この回動に伴って、キーシリンダ１２２の胴体部分１２２ａに設けられた突出部１２２ｂがロックレバー１２３の後端部１２３ｃと当接する。
【０１０４】
このとき、突出部１２２ｂは、ロックレバー１２３の後端部１２３ｃを押圧する押圧部として機能する。その結果、ロックレバー１２３は、レバー支点であるピン１２３ａを中心にして、先端部１２３ｂがハンドル１１０の係合部１１３の方向に回動する。
【０１０５】
そして、ロックレバー１２３は、ハンドル１１０が最下点の位置まで下方向に摺動されている場合に、先端部１２３ｂが右面（図８では、左側に配置された面）側からハンドル１１０の係合部１１３に設けられた溝１１３ａの内部に進入する。これにより、ハンドルロック機構１１４は、ロックレバー１２３がハンドル１１０をロックする。その結果、これにより、ハンドル１１０が、固定されて、引き上げられなくなる。
【０１０６】
なお、ハンドル１１０は、オペレータが前記した精査可能位置から初期位置に戻すようにキー１２０を回転させると、ロックレバー１２３の先端部１２３ｂがバネ１２６の付勢力によって溝１１３ａの外に出て行くため、ロックが解除される。
【０１０７】
図９〜図１１は、このようなハンドルロック機構１１４の詳細な構成を示している。図９〜図１１は、それぞれ、実施形態１に係る硬貨精査補助ユニットの細部の構成を示す図である。なお、図９〜図１１は、このようなハンドルロック機構１１４に加え、シュータ回動機構３０３の詳細な構成も示している。
【０１０８】
図９（ａ）は、斜め前方から見たハンドルロック機構１１４及びシュータ回動機構３０３の構成を示しており、図９（ｂ）は、斜め後方から見たハンドルロック機構１１４及びシュータ回動機構３０３の構成を示している。図１０は、正面から見た、ハンドルロック機構１１４の構成を示している。また、図１１は、図１０に示すＡ−Ａ線に沿って見た、ハンドルロック機構１１４及びシュータ回動機構３０３の構成を示している。
【０１０９】
シュータ回動機構３０３は、シュータ３０１を支持するシュータブラケット３０４によって構成されている。シュータブラケット３０４は、ハンドル１１０の上下方向の摺動に連動して、ポスト３０５（図９（ｂ）参照）を中心にして、シュータ３０１の先端部を上下方向に回動させる構成になっている。
【０１１０】
具体的には、図９（ｂ）に示すように、本実施形態１では、ハンドル１１０は、２つのベース部１１１のそれぞれに、長手方向に沿って、長孔１１６が設けられている。長孔１１６は、上側と下側とに設けられている。以下、上側の長孔１１６を「長孔１１６ａ」と称し、下側の長孔１１６を「長孔１１６ｂ」と称する。
【０１１１】
また、ハンドル１１０は、２つのベース部１１１のそれぞれの下端付近に、湾曲孔１１７が設けられている。湾曲孔１１７は、その上端部が下端部よりも取付パネル２０１から離間し、その下端部が上端部よりも取付パネル２０１に近接するように、円弧状に湾曲して形成されている。湾曲孔１１７は、シュータブラケット３０４の側面（後記する端部部分の表面）に取り付けられたピン３０６がその中を移動することにより、ポスト３０５を中心にして、シュータブラケット３０４の先端部を上下方向に回動させるガイド部として機能する。
【０１１２】
また、本実施形態１では、取付パネル２０１は、板状の２つの突出部２０２を備えている。２つの突出部２０２は、ハンドル１１０を上下方向に摺動自在に支持するハンドル支持部として機能する部位である。
【０１１３】
２つの突出部２０２は、それぞれ、板面がハンドル１１０の２つのベース部１１１の内面に対向して平行に配置されるように、取付パネル２０１の主表面から垂直に突出して設けられている。
【０１１４】
突出部２０２は、ポスト２０３，３０５が取り付けられている。ポスト２０３は、突出部２０２の上端付近の位置と中央付近の位置とに設けられている。以下、上側のポスト２０３を「ポスト２０３ａ」と称し、下側のポスト２０３を「ポスト２０３ｂ」と称する。ポスト３０５は、突出部２０２の下端付近の位置に設けられている。
【０１１５】
ポスト２０３は、ハンドル１１０のベース部１１１に設けられた長孔１１６を貫通するように突出部２０２に取り付けられている。これにより、ポスト２０３は、ハンドル１１０を上下方向に摺動自在に支持する。
【０１１６】
一方、ポスト３０５は、シュータブラケット３０４の下端付近に設けられた丸孔（図示せず）を貫通するように突出部２０２に取り付けられている。これにより、ポスト３０５は、シュータブラケット３０４の下端付近を回動自在に支持する。
【０１１７】
また、本実施形態１では、シュータブラケット３０４は、２つの突出部２０２の間に亘って設けられている。本実施形態１では、シュータブラケット３０４は、長尺な板状の部材によって構成されており、その中央部分に対して、長手方向の両側の端部部分が垂直に折り曲げられた形状になっている。これにより、長手方向の両側の端部部分は、その表面がシュータブラケット３０４の側面となる。
【０１１８】
シュータブラケット３０４の中央部分は、シュータ３０１を支持する部位となっている。シュータブラケット３０４の中央部分は、２つの突出部２０２の離間距離よりも若干短い長さに設定されている。
【０１１９】
一方、シュータブラケット３０４の端部部分は、その下端付近がポスト３０５によって突出部２０２に軸支される部位となっている。シュータブラケット３０４の端部部分の長さは、端部部分に取り付けられるピン３０６が湾曲孔１１７に沿って移動することができるとともに、シュータ３０１及びシュータブラケット３０４がシュータカバー３０２の内部で十分に回動することができる長さに設定されている。
【０１２０】
シュータブラケット３０４の端部部分は、その上端付近にピン３０６が取り付けられている。ピン３０６は、ハンドル１１０のベース部１１１に設けられた湾曲孔１１７を貫通するようにシュータブラケット３０４に取り付けられている。
【０１２１】
図１１に示すように、シュータ回動機構３０３は、オペレータがハンドル１１０を上下方向に摺動させると、ピン３０６が、湾曲孔１１７に沿って、その内部を移動する。その結果、シュータ回動機構３０３は、シュータ３０１の先端部を上下方向に回動させるように、シュータブラケット３０４が、ポスト３０５を中心にして、回動する。
【０１２２】
なお、図１１（ａ）は、ハンドル１１０を最下点の位置まで下方向に摺動させた場合の、シュータ回動機構３０３の状態を示している。シュータ回動機構３０３は、補助ユニット１００が釣銭機１に装着される場合に、図１１（ａ）に示す状態となる。
【０１２３】
一方、図１１（ｂ）は、ハンドル１１０を最上点の位置まで上方向に摺動させた場合の、シュータ回動機構３０３の状態を示している。シュータ回動機構３０３は、補助ユニット１００が持ち運ばれる場合に、図１１（ｂ）に示す状態となる。
【０１２４】
オペレータは、補助ユニット１００を釣銭機１に装着する場合に、ハンドル１１０を押し下げる。すなわち、オペレータは、ハンドル１１０を下方向に摺動させる（図１１（ａ）参照）。これにより、ハンドル１１０が、補助ユニット１００の外部から内部に収納される。シュータ回動機構３０３は、ハンドル１１０が下方向に摺動させられると、ポスト３０５（図９（ｂ）参照）を支点にして、シュータ３０１の先端部を下方向に回動させる。これにより、シュータ３０１の先端部が、シュータカバー３０２の内部から外部に突出する。オペレータは、シュータ３０１の先端部を釣銭機１の入金口４の中に挿入して、補助ユニット１００を釣銭機１に装着する。
【０１２５】
また、オペレータは、補助ユニット１００を持ち運ぶ場合に、ハンドル１１０を引き上げる。すなわち、オペレータは、ハンドル１１０を上方向に摺動させる（図１１（ｂ）参照）。これにより、ハンドル１１０が、補助ユニット１００の内部から外部に引き出される。シュータ回動機構３０３は、ハンドル１１０が上方向に摺動させられると、ポスト３０５（図９（ｂ）参照）を支点にして、シュータ３０１の先端部を上方向に回動させる。これにより、シュータ３０１の先端部が、シュータカバー３０２の外部から内部に退避する。オペレータは、釣銭機１の入金口４からシュータ３０１の先端部を取り外して、釣銭機１から補助ユニット１００を取り外す。
【０１２６】
このような補助ユニット１００は、シュータ回動機構３０３が、ハンドル１１０の上下方向の摺動に連動して、シュータ３０１の先端部をシュータカバー３０２の内部から外部に進出させたり又は外部から内部に退避させたりする構成になっている。その結果、補助ユニット１００は、オペレータがハンドル１１０を引き上げると、シュータ３０１の先端部がシュータカバー３０２の内部に自動的に退避する。これにより、オペレータは、釣銭機１を傷つけることなく、釣銭機１から補助ユニット１００を取り外すことができる。
【０１２７】
また、このような補助ユニット１００は、釣銭機１での硬貨の精査処理中に、ハンドルロック機構１１４が、ハンドル１１０をロックする構成になっている。そのため、補助ユニット１００は、釣銭機１での硬貨の精査処理中に、ハンドル１１０が引き上げられるのを防止することができる。これにより、補助ユニット１００は、釣銭機１での硬貨の精査処理中に、シュータ３０１の先端部が釣銭機１の入金口４から外れなくなる。その結果、補助ユニット１００は、釣銭機１での硬貨の精査処理中に、不用意に釣銭機１から取り外されるのを防止することができる。
【０１２８】
また、このような補助ユニット１００は、釣銭機１に装着されている場合に、シュータカバー３０２が釣銭機１の入金口４を覆い、さらに、突出部１０６が釣銭機１の出金口５を覆う構成となっている。そのため、補助ユニット１００は、釣銭機１での硬貨の精査処理中に、外部から硬貨に触れられるのを防止することができ、その結果、精査処理を厳格に行わせることができる。
【０１２９】
（現金取扱装置の出金口周りの構成）
以下、図１２及び図１３を参照して、現金取扱装置（ここでは、釣銭機１）の出金口５周りの構成につき説明する。図１２及び図１３は、それぞれ、実施形態１に係る現金取扱装置の出金口周りの構成を示す図である。
【０１３０】
なお、図１２（ａ）は、左側から見た、出金口５の断面構成を示しており、図１２（ｂ）は、下から見た、出金口５の構成（すなわち、出金口５の底面の構成）を示している。また、図１３（ａ）は、出金口５と第１レバー１２４及び第２レバー１２５との配置関係を示しており、図１３（ｂ）は、シャッタ９が閉鎖されているときの第１レバー１２４及び第２レバー１２５の状態を示しており、図１３（ｃ）は、シャッタ９が開放されているときの第１レバー１２４及び第２レバー１２５の状態を示している。
【０１３１】
釣銭機１は、前記した通り、出金口５の底部にシャッタ９を有している。図１２及び図１３に示すように、本実施形態１では、シャッタ９は、開口部５ａの上に設けられている。また、本実施形態１では、シャッタ９は、出金口５の内部で、開口部５ａの前端付近の位置に設けられたシャッタ支点９ａによって軸支された構成になっている。
【０１３２】
したがって、本実施形態１では、シャッタ９は、前端側を固定端とし、後端側を自由端とし、固定端側に設けられたシャッタ支点９ａを軸にして、出金口５の内部で、自由端が持ち上がるように回動する構成になっている。
オペレータは、釣銭機１に硬貨の精査処理を実行させる場合に、手動でシャッタ９を開放してから、補助ユニット１００を釣銭機１に装着する。
【０１３３】
なお、シャッタ９は、出金口５の底部を前後方向又は左右方向に摺動する摺動部材として構成することができる。
また、シャッタ９は、図示せぬシャッタ駆動機構を筐体２の内部の出金口５の周囲に設けることによって、硬貨の精査処理時に自動的に開放される構成にすることが可能である。
【０１３４】
また、釣銭機１は、出金口５の内部に複数の残留センサＳＮ２を有している。残留センサＳＮ２は、出金口５の内部に硬貨が残留する場合に、その硬貨を検知するセンサである。本実施形態１では、複数の残留センサＳＮ２は、それぞれ、１対の発光センサと受光センサとによって構成されているものとして説明する。発光センサ及び受光センサは、それぞれ、出金口５の内部で、左右に分かれて、対向して配置されている。
【０１３５】
（シャッタの開け忘れ防止構造）
釣銭機１は、オペレータがシャッタ９を開け忘れた場合に、シャッタ９が閉じた状態のままで、硬貨の精査処理が実行されると、硬貨が出金口５に溜まり、最終的に、硬貨が出金口５からあふれてしまう（外部にこぼれてしまう）。また、出金口５に放出された硬貨は、釣銭機１に還流されない。そのため、釣銭機１は、硬貨の精査処理を適正に行うことができない。したがって、釣銭機１は、オペレータがシャッタ９を開け忘れた場合に、硬貨の精査処理が実行されるのを防止することが好ましい。
【０１３６】
そこで、本実施形態１では、釣銭機１は、例えば、図１２及び図１３に示すように、筐体２の内部の、出金口５の周囲に、ユニットセットスイッチＳＷ１が設けられている。
ユニットセットスイッチＳＷ１は、前記した通り、補助ユニット１００が釣銭機１に装着された場合に、本体制御部１１の動作状態を、精査不能状態（硬貨の精査処理が実行不能な状態）から精査可能状態（硬貨の精査処理が実行可能な状態）に切り替えさせるためのスイッチである。本実施形態１では、ユニットセットスイッチＳＷ１がマイクロスイッチとして構成されているものとして説明する。
【０１３７】
図１２及び図１３に示す例では、ユニットセットスイッチＳＷ１は、釣銭機１の筐体２の内部の、出金口５の前端付近の位置に設けられている。ユニットセットスイッチＳＷ１は、センサ部（先端部）を下側に向けた状態で配置されている。筐体２は、第２レバー１２５（図１３参照）の先端部を通すための孔（以下、「レバー進入孔５ｂ」と称する）が、そのセンサ部の周囲に設けられている。
【０１３８】
ユニットセットスイッチＳＷ１は、通常、オフ状態になっている。釣銭機１の本体制御部１１は、ユニットセットスイッチＳＷ１がオフ状態になっている場合に、自身の動作状態を精査不能状態に維持する。したがって、この場合に、釣銭機１は、硬貨の精査処理を実行しない。
【０１３９】
一方、ユニットセットスイッチＳＷ１は、第２レバー１２５の先端部がレバー進入孔５ｂの中に進入してセンサ部（先端部）を押下すると、オン状態になる。この場合に、釣銭機１の本体制御部１１は、補助ユニット１００の装着を検知して、自身の動作状態を精査不能状態から精査可能状態に切り替える。したがって、この場合に、釣銭機１は、硬貨の精査処理を実行する。
【０１４０】
図１３（ａ）に示すように、補助ユニット１００は、釣銭機１に装着されると、キーシリンダ１２２の先端付近が釣銭機１の出金口５の下に配置される。そのキーシリンダ１２２の先端付近には、第１レバー１２４及び第２レバー１２５が設けられている。第１レバー１２４及び第２レバー１２５は、それぞれ、オペレータがキー１２０を回転させてキーシリンダ１２２を回動させることにより、先端部が回動する。
【０１４１】
その補助ユニット１００は、図１３（ｂ）に示すように、釣銭機１のシャッタ９が閉鎖されている場合に、オペレータがキー１２０を前記した精査実行位置の方向に回転させると、キー１２０の回転の途中で、第１レバー１２４の先端部が釣銭機１のシャッタ９と当接する。
【０１４２】
そのため、オペレータは、キー１２０をそれ以上回転させることができず、キー１２０を前記した精査実行位置まで回動させることができない。したがって、この場合に、補助ユニット１００の第１レバー１２４は、キーシリンダ１２２の回動（すなわち、第２レバー１２５の回動）を規制する。
【０１４３】
このとき、補助ユニット１００の第２レバー１２５は、先端部が、釣銭機１のユニットセットスイッチＳＷ１のセンサ部（先端部）に到達しない。そのため、補助ユニット１００の第２レバー１２５は、釣銭機１のユニットセットスイッチＳＷ１をオン状態にすることができない。
【０１４４】
したがって、釣銭機１のユニットセットスイッチＳＷ１は、オフ状態のままとなる。その結果、釣銭機１の本体制御部１１は、自身の動作状態を精査不能状態に維持する。したがって、この場合に、釣銭機１は、硬貨の精査処理を実行しない。
【０１４５】
なお、この場合に、釣銭機１の本体制御部１１は、図示せぬ放音手段によってアラーム音を放音させたり、又は、シャッタ９の開放を指示するメッセージを表示部３ｂ（図１Ａ参照）に表示させたりして、シャッタ９が閉鎖状態であることをオペレータに警告する。これにより、本体制御部１１は、オペレータにシャッタ９を開けるように促す。
【０１４６】
また、補助ユニット１００は、図１３（ｃ）に示すように、釣銭機１のシャッタ９が開放されている場合に、オペレータがキー１２０を前記した精査実行位置の方向に回転させると、補助ユニット１００の第１レバー１２４の先端部が釣銭機１のシャッタ９と当接しない。
【０１４７】
そのため、オペレータは、キー１２０を前記した精査実行位置まで回動させることができる。したがって、この場合に、補助ユニット１００の第１レバー１２４は、キーシリンダ１２２の回動（すなわち、第２レバー１２５の回動）を規制しない。
【０１４８】
このとき、補助ユニット１００の第２レバー１２５は、先端部が、釣銭機１のユニットセットスイッチＳＷ１のセンサ部（先端部）に到達する。そのため、補助ユニット１００の第２レバー１２５は、釣銭機１のユニットセットスイッチＳＷ１をオン状態にすることができる。
【０１４９】
その結果、釣銭機１の本体制御部１１は、自身の動作状態を精査不能状態から精査可能状態に切り替える。したがって、この場合に、釣銭機１は、硬貨の精査処理を実行する。
【０１５０】
このように、補助ユニット１００は、釣銭機１のシャッタ９が開放されている場合にのみ、釣銭機１のユニットセットスイッチＳＷ１をオン状態にすることができる。また、釣銭機１は、シャッタ９が開放されている場合にのみ、硬貨の精査処理を実行することができる。
【０１５１】
そのため、釣銭機１及び補助ユニット１００は、シャッタ９が閉鎖されている場合に、硬貨の精査処理が実行されるのを防止することができる。したがって、釣銭機１及び補助ユニット１００は、オペレータがシャッタ９を開け忘れた場合に、硬貨の精査処理が実行されるのを防止することができる。
【０１５２】
なお、釣銭機１は、硬貨の精査を行う場合だけでなく、硬貨の回収だけを行う場合にも、本体制御部１１が、シャッタ９の開閉状態を確認して、その結果をオペレータに通知するようにしてもよい。
【０１５３】
係る構成において、オペレータは、例えば、装置の内部に収納されている硬貨の精査処理を行う場合に、事前作業として、釣銭機１の出金口５の底部に設けられたシャッタ９（図１Ｂ参照）を開放する。
【０１５４】
オペレータは、シャッタ９を開放すると、補助ユニット１００を釣銭機１のそばまで持ち運び、補助ユニット１００を釣銭機１に装着する。このとき、オペレータは、補助ユニット１００のハンドル１１０（図３参照）を下方向に摺動させる。これにより、シュータ回動機構３０３が、ハンドル１１０の摺動に連動して、シュータ３０１を回動させる。その結果、補助ユニット１００は、シュータ３０１（図３参照）の先端部が、降下して、シュータカバー３０２の内部から外部に突出する。
【０１５５】
オペレータは、シュータ３０１の先端部が、シュータカバー３０２の外部に突出すると、補助ユニット１００の装着部１０５を釣銭機１の被装着部７に嵌め合わせて、補助ユニット１００を釣銭機１に装着する（図６参照）。
【０１５６】
次に、オペレータは、鍵穴１２１を介してキー１２０をキーシリンダ１２２に挿し込み、キー１２０を回転させる（図７及び図８参照）。これにより、キーシリンダ１２２が、回動を開始する。
【０１５７】
キーシリンダ１２２の先端付近には、第１レバー１２４及び第２レバー１２５が設けられている（図７参照）。第１レバー１２４は、シャッタ９が閉鎖されている場合に、シャッタ９と当接することによって、キーシリンダ１２２の回動（すなわち、第２レバー１２５の回動）を規制する。
【０１５８】
ここでは、シャッタ９が開放されており、第１レバー１２４がシャッタ９と当接しないものとして説明する。このとき、オペレータは、キー１２０を前記した精査実行位置まで回動させることができる。その結果、キーシリンダ１２２は、精査実行位置まで回動する。
【０１５９】
キーシリンダ１２２が精査実行位置まで回動すると、キーシリンダ１２２の先端付近に設けられた第１レバー１２４及び第２レバー１２５が精査実行位置まで回動する。これにより、第１レバー１２４の先端部が、開口部５ａから出金口５の内部に進入する。また、第２レバー１２５の先端部が、出金口５の底部に設けられたレバー進入孔５ｂ（図１３参照）の中に進入して、レバー進入孔５ｂの奥に設けられたユニットセットスイッチＳＷ１（図１３参照）のセンサ部（先端部）を押圧する。
【０１６０】
その結果、第２レバー１２５は、ユニットセットスイッチＳＷ１をオン状態にする。これにより、釣銭機１の本体制御部１１は、補助ユニット１００の装着を検知して、自身の動作状態を精査不能状態から精査可能状態に切り替える。
【０１６１】
また、キーシリンダ１２２が回動すると、その胴体部分１２２ａに設けられた突出部１２２ｂがロックレバー１２３の後端部１２３ｃを押圧する。このとき、ロックレバー１２３は、ピン１２３ａを中心にして、先端部１２３ｂをハンドル１１０に近接させる方向に回動する。
【０１６２】
これにより、ロックレバー１２３の先端部１２３ｂが、ハンドル１１０の係合部１１３に設けられた溝１１３ａに進入する。その結果、ハンドルロック機構１１４は、ハンドル１１０をロックする。
【０１６３】
オペレータは、キー１２０を前記した精査実行位置まで回動させることができた場合に、補助ユニット１００の電源ケーブル１９９（図１Ａ（ａ）参照）の先端に設けられたプラグ（図示せず）を釣銭機１の電力供給用ジャック（図示せず）に挿入する。これにより、補助ユニット１００は、釣銭機１から電力が供給される。その結果、補助ユニット１００は、稼動（具体的には、分離部２１０（図５（ａ）参照）及び搬送部２２０（図５（ａ）参照）の駆動）を開始する。
【０１６４】
この後、オペレータは、釣銭機１の操作部３（図１Ａ参照）を操作し、硬貨の精査処理開始コマンドを投入して、硬貨の精査処理の実行を釣銭機１に指示する。これにより、釣銭機１は、動作を開始する。なお、硬貨の精査処理は、硬貨を装置外部に放出する回収動作と、硬貨を装置内部に取り込む補充動作とによって行われる。
【０１６５】
まず、釣銭機１は、装置内部の同一金種の硬貨を出金口５に放出する回収動作を行う。回収動作では、釣銭機１は、搬送部１５が、精査する金種の収納庫１７の中から硬貨を順次取り出し、取り出された硬貨を出金口５に搬送する。その際に、釣銭機１は、図示せぬ計数手段が、硬貨の枚数をカウントする。
【０１６６】
なお、硬貨は、出金口５に搬送されると、出金口５に放出される。出金口５に放出された硬貨は、開口部５ａ（図２参照）を介して、出金口５から補助ユニット１００の取込口１０９（図３（ｂ）及び図５（ｂ）参照）の中に放出される。これにより、補助ユニット１００は、取込口１０９（図３（ｂ）及び図５（ｂ）参照）を介して、釣銭機１の出金口５から、出金口５に放出された硬貨を補助ユニット１００の内部に取り込む。
【０１６７】
補助ユニット１００は、硬貨を取り込むと、分離部２１０の分離ベルト２１１（図５（ａ）参照）が、取り込まれた硬貨を搬送部２２０の方向に搬送して、硬貨を１枚ずつに分離しながら、硬貨を搬送部２２０の第１搬送ベルト２２１及び第２搬送ベルト２２２（図５（ａ）参照）に受け渡す。
【０１６８】
搬送部２２０の第１搬送ベルト２２１及び第２搬送ベルト２２２は、硬貨が受け渡されると、硬貨をシュータ３０１（図５（ａ）参照）の後端部に搬送し、硬貨をシュータ３０１の後端部からシュータ３０１の中に放出する。これにより、硬貨は、シュータ３０１の中を通過して、シュータ３０１の先端部から外部に放出される。
【０１６９】
シュータ３０１の先端部は、釣銭機１の入金口４（図１Ａ及び図１Ｂ参照）の中に挿入されている。したがって、このとき、補助ユニット１００は、シュータ３０１によって釣銭機１の入金口４の上方から入金口４に向けて硬貨を投入する。その結果、補助ユニット１は、釣銭機１の出金口５に放出された硬貨を自動的に釣銭機１の内部に還流させる。
【０１７０】
釣銭機１は、硬貨が入金口４に投入されると、補充動作を行う。補充動作では、釣銭機１は、搬送部１５が、入金口４に投入された硬貨を鑑別部１４に搬送する。このとき、鑑別部１４は、硬貨の金種を鑑別しながら、硬貨の枚数をカウントする。これにより、釣銭機１は、その硬貨を精査する。そして、釣銭機１は、搬送部１５が、精査された硬貨を該当する金種の収納庫１７に搬送して、硬貨を収納庫１７の中に収納する。
【０１７１】
この後、釣銭機１は、回収動作時の硬貨の枚数のカウント値（回収カウント情報１２ｂ（図２参照）の値）と補充動作時の硬貨の枚数のカウント値（補充カウント情報１２ｃ（図２参照）の値）とが一致することを確認し、さらに、補充動作時の硬貨の枚数のカウント値（補充カウント情報１２ｃ（図２参照）の値）とキャッシュレジスタ９９から取得された管理有高情報１２ａ（図２参照）の値とが一致することを確認する。これにより、釣銭機１は、一金種分の硬貨の精査処理を行う。
【０１７２】
釣銭機１は、このような動作を装置内部の全ての金種の硬貨に対して行う。これにより、釣銭機１は、全ての金種分の硬貨の精査処理を行う。そして、釣銭機１は、硬貨の精査処理の結果をオペレータに通知する。
【０１７３】
なお、オペレータは、硬貨の精査処理が終了すると、補助ユニット１００を釣銭機１から取り外す。
このとき、まず、オペレータは、補助ユニット１００の電源ケーブル１９９（図１Ａ（ａ）参照）の先端に設けられたプラグ（図示せず）を釣銭機１の電力供給用ジャック（図示せず）から取り外す。
【０１７４】
次に、オペレータは、前記した精査可能位置から初期位置に戻すようにキー１２０を回転させる。これにより、ハンドルロック機構１１４が、ハンドル１１０のロックを解除する。このとき、釣銭機１の本体制御部１１は、自身の動作状態を精査可能状態から精査不能状態に切り替える。
【０１７５】
次に、オペレータは、ハンドル１１０を最上点の位置まで上方向に摺動させる。これにより、シュータ回動機構３０３が、シュータ３０１の先端部を持ち上げるように、シュータ３０１を回動させる。その結果、シュータ３０１の先端部は、上昇して、シュータカバー３０２の外部から内部に収納される。
この後、オペレータは、釣銭機１から補助ユニット１００を取り外す。そして、オペレータは、補助ユニット１００を任意の場所に持ち運ぶ。
【０１７６】
＜現金取扱装置の動作＞
以下、図１４を参照して、本実施形態１に係る現金取扱装置としての釣銭機１の動作につき説明する。図１４は、実施形態１に係る現金取扱装置の動作を示すフローチャートである。ここでは、補助ユニット１００が釣銭機１に装着されており、また、補助ユニット１００が既に稼動しているものとして説明する。
【０１７７】
釣銭機１は、オペレータによって硬貨の精査処理開始コマンドが投入されると、動作を開始する。
図１４に示すように、釣銭機１は、本体制御部１１によって、ユニットセットスイッチＳＷ１がオン状態になるまで、ユニットセットスイッチＳＷ１がオン状態になっているか否かを繰り返し判定する（Ｓ１０５）。すなわち、釣銭機１は、ユニットセットスイッチＳＷ１がオン状態になるまで、待機する。
【０１７８】
Ｓ１０５の判定で、ユニットセットスイッチＳＷ１がオン状態になっていると判定された場合（“Ｙｅｓ”の場合）に、釣銭機１は、回収動作を開始する（Ｓ１２０）。そして、釣銭機１は、回収動作が終了すると（Ｓ１２５）、本体制御部１１によって、投入センサＳＮ１（図２参照）がオン状態になっているか否かを判定する（Ｓ１３０）。
【０１７９】
Ｓ１３０の判定で、投入センサＳＮ１がオン状態になっていないと判定された場合（“Ｎｏ”の場合）に、釣銭機１は、硬貨の投入エラーの発生をオペレータに通知するためのメッセージを表示部３ｂに表示する（Ｓ１３５）。この場合に、硬貨の精査処理は、中断となる。
【０１８０】
一方、Ｓ１３０の判定で、投入センサＳＮ１がオン状態になっていると判定された場合（“Ｙｅｓ”の場合）に、釣銭機１は、補充動作を開始する（Ｓ１４０）。そして、釣銭機１は、補充動作が終了すると（Ｓ１４５）、本体制御部１１が、回収カウント情報１２ｂ（図２参照）や補充カウント情報１２ｃ（図２参照）等を含む、精査記録情報１２ｄ（図２参照）を記憶部１２（図２参照）に保存する（Ｓ１５０）。
【０１８１】
Ｓ１５０の後、釣銭機１は、本体制御部１１によって、全ての金種（具体的には、１円、５円、１０円、５０円、１００円、及び、５００円の６金種）分の硬貨の精査処理が完了したか否かを判定する（Ｓ１５５）。
【０１８２】
Ｓ１５５の判定で、全ての金種分の硬貨の精査処理が完了していないと判定された場合（“Ｎｏ”の場合）に、釣銭機１は、精査処理が完了していない、次の金種分の硬貨の精査処理を実行する（Ｓ１６０）。この後、処理は、Ｓ１２０に戻る。
【０１８３】
一方、Ｓ１５５の判定で、全ての金種分の硬貨の精査処理が完了していると判定された場合（“Ｙｅｓ”の場合）に、釣銭機１は、本体制御部１１によって、全ての金種で、精査された硬貨の有高が、キャッシュレジスタ９９から取得されている管理有高情報１２ａの額と一致するか否かを判定する（Ｓ１６５）。
【０１８４】
この判定は、例えば、回収カウント情報１２ｂ（図２参照）の値と補充カウント情報１２ｃ（図２参照）の値とが一致することを判定し、さらに、補充カウント情報１２ｃ（図２参照）の値と管理有高情報１２ａ（図２参照）の値とが一致するか否かを判定することによって行われる。
【０１８５】
Ｓ１６５の判定で、精査された硬貨の有高が有高情報の額と一致しないと判定された場合（“Ｎｏ”の場合）に、釣銭機１は、精査エラーの発生をオペレータに通知するためのメッセージを表示部３ｂに表示する（Ｓ１７０）。この場合に、硬貨の精査処理は、中断となる。
【０１８６】
一方、Ｓ１６５の判定で、精査された硬貨の有高が有高情報の額と一致すると判定された場合（“Ｙｅｓ”の場合）に、一連のルーチンの動作が終了する。この場合に、硬貨の精査処理は、正常終了となる。
【０１８７】
＜硬貨精査補助ユニットの動作＞
以下、補助ユニット１００の動作につき説明する。ここでは、補助ユニット１００の動作の特徴を分かり易く説明するために、まず、比較例として仮想上の補助ユニット１００Ｚ（図示せず）の動作を説明し、その仮想上の補助ユニット１００Ｚの動作と対比させて、本実施形態１に係る補助ユニット１００の動作を説明する。
なお、仮想上の補助ユニット１００Ｚ（図示せず）は、本実施形態１に係る補助ユニット１００と同一の構成になっており、動作のみが異なるものとする。
【０１８８】
仮想上の補助ユニット１００Ｚ及び本実施形態１に係る補助ユニット１００は、ともに、硬貨が釣銭機１の入金口４からあふれそうな状態になると、あふれセンサＳＮ３（図５（ｂ）参照）によって、その状態を「あふれの直前状態」として検知する。
【０１８９】
このとき、仮想上の補助ユニット１００Ｚは、モータ２０７ａ，２０７ｂ（図５（ａ）参照）を停止させることによって、釣銭機１の入金口４の内部での硬貨のあふれを防止するものとする。
【０１９０】
しかしながら、仮想上の補助ユニット１００Ｚは、モータ２０７ａ，２０７ｂを停止するため、前記した「あふれの直前状態（硬貨が釣銭機１の入金口４からあふれそうな状態）」が解消された場合に、再度、モータ２０７ａ，２０７ｂ（図５（ａ）参照）を起動する必要がある。このとき、比較的大きな搬送系イナーシャ（慣性）が、モータ２０７ａ，２０７ｂに加わる。その結果、仮想上の補助ユニット１００Ｚは、モータ２０７ａ，２０７ｂの停止時及び起動時に、比較的大きな負荷が、モータ２０７ａ，２０７ｂにかかる。
【０１９１】
したがって、仮想上の補助ユニット１００Ｚは、モータ２０７ａ，２０７ｂの停止時及び起動時のイナーシャ（慣性）によって、比較的大きな負荷がモータ２０７ａ，２０７ｂにかかるため、モータ２０７ａ，２０７ｂの寿命を短くすることが予測される。
【０１９２】
そこで、本実施形態１では、補助ユニット１００は、あふれセンサＳＮ３（図５（ｂ）参照）によって前記した「あふれの直前状態」を検知した場合に、モータ２０７ａ，２０７ｂ（図５（ａ）参照）を停止させるのではなく、モータ２０７ａ，２０７ｂの回転速度を低下させることによって、釣銭機１の入金口４の内部での硬貨のあふれを防止するものとする。
【０１９３】
以下、まず、図１５Ａを参照して、比較例として、仮想的な補助ユニット１００Ｚの動作を説明し、次に、図１５Ｂを参照して、本実施形態１に係る補助ユニット１００の動作を説明する。
【０１９４】
まず、図１５Ａを参照して、比較例として、仮想的な補助ユニット１００Ｚの動作を説明する。図１５Ａは、比較例に係る硬貨精査補助ユニットの動作を示すフローチャートである。
【０１９５】
仮想上の補助ユニット１００Ｚは、釣銭機１から電力が供給されることにより、動作を開始する。このとき、補助ユニット１００Ｚのユニット制御部２０６は、継続して、あふれセンサＳＮ３の状態を検知する。
【０１９６】
図１５Ａに示すように、釣銭機１が硬貨の精査処理を開始し、釣銭機１の残留センサＳＮ２がオン状態になると、比較例に係る仮想的な補助ユニット１００Ｚは、あふれセンサＳＮ３がオフ状態になるまで、あふれセンサＳＮ３がオフ状態になっているか否かを繰り返し判定する（Ｓ２０５）。すなわち、補助ユニット１００Ｚは、あふれセンサＳＮ３がオフ状態になるまで、待機する。
【０１９７】
Ｓ２０５の判定で、あふれセンサＳＮ３がオフ状態になったと判定された場合（“Ｙｅｓ”の場合）に、補助ユニット１００Ｚは、モータ２０７ａ，２０７ｂを回転させる（Ｓ２１０）。そして、補助ユニット１００Ｚは、モータ２０７ａ，２０７ｂを回転させながら、あふれセンサＳＮ３が所定ｍｓ以上オン状態になったか否かを判定する（Ｓ２１５）。
【０１９８】
Ｓ２１５の判定で、あふれセンサＳＮ３が所定ｍｓ以上オン状態になったと判定された場合（“Ｙｅｓ”の場合）に、補助ユニット１００Ｚは、モータ２０７ａ，２０７ｂを停止させる（Ｓ２２０）。この後、処理は、Ｓ２１５に戻る。
【０１９９】
一方、Ｓ２１５の判定で、あふれセンサＳＮ３が所定ｍｓ以上オン状態になっていないと判定された場合（“Ｎｏ”の場合）に、補助ユニット１００Ｚは、モータ２０７ａ，２０７ｂを回転させる（Ｓ２２５）。このとき、補助ユニット１００Ｚは、モータ２０７ａ，２０７ｂが回転していれば、その回転を継続させ、モータ２０７ａ，２０７ｂが停止していれば、回転を開始させる。
【０２００】
Ｓ２２５の後、釣銭機１の残留センサＳＮ２がオフ状態になり、硬貨の精査処理が終了すると、比較例に係る仮想的な補助ユニット１００Ｚは、あふれセンサＳＮ３がオフ状態になったか否かを判定する（Ｓ２３０）。
【０２０１】
Ｓ２３０の判定で、あふれセンサＳＮ３がオフ状態になったと判定された場合（“Ｙｅｓ”の場合）に、補助ユニット１００Ｚは、モータ２０７ａ，２０７ｂの回転を停止させる（Ｓ２３５）。この後、処理は、Ｓ２０５に戻る。
【０２０２】
一方、Ｓ２３０の判定で、あふれセンサＳＮ３がオフ状態になっていないと判定されない場合（“Ｎｏ”の場合）に、処理は、Ｓ２０５に戻る。
【０２０３】
次に、図１５Ｂを参照して、本実施形態１に係る補助ユニット１００の動作を説明する。図１５Ｂは、本実施形態１に係る硬貨精査補助ユニットの動作を示すフローチャートである。
【０２０４】
本実施形態１に係る補助ユニット１００は、図１６に示すモータ速度テーブルを用いて、２通りの設定速度で、モータ２０７ａ，２０７ｂの回転速度を制御する。なお、図１６は、実施形態１で用いる設定速度の一例を示す図である。
【０２０５】
図１６に示すように、本実施形態１では、第１設定速度が、「補助ユニット硬貨搬送速度≧釣銭機硬貨入金速度」を満たす速度として設定されている。
また、第２設定速度が、「補助ユニット硬貨搬送速度＜釣銭機硬貨入金速度」を満たす速度として設定されている。
【０２０６】
なお、「補助ユニット硬貨搬送速度」とは、補助ユニット１００の内部に設けられた第１搬送ベルト２２１（図５（ａ）参照）及び第２搬送ベルト２２２（図５（ａ）参照）の走行速度を意味している。
また、「釣銭機硬貨入金速度」とは、釣銭機１の入金口４の内部に設けられた入金ベルト４１（図７参照）の走行速度を意味している。
【０２０７】
図１５Ｂに示すように、本実施形態１に係る補助ユニット１００の動作は、比較例に係る仮想的な補助ユニット１００Ｚの動作と比較すると、Ｓ２１０、Ｓ２２０、及び、Ｓ２２５の処理が、Ｓ２１０ａ、Ｓ２２０ａ、及び、Ｓ２２５ａの処理に変更されている点で相違している。
【０２０８】
すなわち、補助ユニット１００は、Ｓ２０５の判定で、あふれセンサＳＮ３がオフ状態になったと判定された場合（“Ｙｅｓ”の場合）に、第１搬送ベルト２２１及び第２搬送ベルト２２２の走行速度が第１設定速度になるように、モータ２０７ａ，２０７ｂを回転させる（Ｓ２１０ａ）。
【０２０９】
また、補助ユニット１００は、Ｓ２１５の判定で、あふれセンサＳＮ３が所定ｍｓ以上オン状態になったと判定された場合（“Ｙｅｓ”の場合）に、第１搬送ベルト２２１及び第２搬送ベルト２２２の走行速度が第２設定速度になるように、モータ２０７ａ，２０７ｂを回転させる（Ｓ２２０ａ）。
【０２１０】
すなわち、この場合に、補助ユニット１００は、モータ２０７ａ，２０７ｂの回転を停止させずに、第１搬送ベルト２２１及び第２搬送ベルト２２２の走行速度が第１設定速度から第１設定速度よりも低速の第２設定速度になるように、モータ２０７ａ，２０７ｂの回転速度を切り替えて、モータ２０７ａ，２０７ｂを回転させる。
【０２１１】
また、補助ユニット１００は、Ｓ２１５の判定で、あふれセンサＳＮ３が所定ｍｓ以上オン状態になっていないと判定された場合（“Ｎｏ”の場合）に、第１搬送ベルト２２１及び第２搬送ベルト２２２の走行速度が第１設定速度になるように、モータ２０７ａ，２０７ｂを回転させる（Ｓ２２５ａ）。
【０２１２】
このような補助ユニット１００は、Ｓ２１５の判定で、あふれセンサＳＮ３が所定ｍｓ以上オン状態になった場合（すなわち、あふれの直前状態を所定ｍｓ以上検出した場合）に、Ｓ２２０ａで、モータ２０７ａ，２０７ｂの回転速度を遅くして、第１搬送ベルト２２１及び第２搬送ベルト２２２の走行速度を、第１設定速度から第１設定速度よりも低速の第２設定速度に切り替える。これにより、補助ユニット１００は、補助ユニット１００の内部の硬貨の搬送速度を、釣銭機１の硬貨の取り込み速度よりも遅くする。
【０２１３】
その結果、釣銭機１は、釣銭機１の硬貨の取り込み速度が、補助ユニット１００の内部の硬貨の搬送速度よりも速くなるため、入金口４の内部の硬貨の量を減らすことができる。したがって、補助ユニット１００は、硬貨が釣銭機１の入金口４からあふれるのを防止することができる。
【０２１４】
＜硬貨精査補助ユニットの搬送部の特徴＞
以下、補助ユニット１００の搬送部２２０（図５（ａ）参照）の特徴につき説明する。ここでは、補助ユニット１００の搬送部２２０の特徴を分かり易く説明するために、まず、比較例として仮想上の補助ユニット１０００（図１７Ａ参照）の搬送部２２０ａの構成を説明し、その仮想上の補助ユニット１０００の搬送部２２０ａと対比させて、本実施形態１に係る補助ユニット１００の搬送部２２０の特徴を説明する。
なお、仮想上の補助ユニット１０００は、搬送部２２０ａ以外の構成が本実施形態１に係る補助ユニット１００と同一の構成になっているものとする。
【０２１５】
以下、まず、図１７Ａを参照して、比較例として、仮想的な補助ユニット１０００の搬送部２２０ａの構成を説明し、次に、図１７Ｂを参照して、本実施形態１に係る補助ユニット１００の搬送部２２０の構成を説明する。
【０２１６】
まず、図１７Ａを参照して、比較例として、仮想的な補助ユニット１０００の搬送部２２０ａの構成を説明する。図１７Ａは、比較例に係る硬貨精査補助ユニットの搬送部の構成を示す図である。図１７Ａ（ａ）は、比較例に係る補助ユニット１０００の搬送部２２０ａの全体構成を示しており、図１７Ａ（ｂ）は、比較例に係る補助ユニット１０００の搬送部２２０ａの主要部の構成を示している。
【０２１７】
図１７Ａに示すように、比較例に係る補助ユニット１０００の搬送部２２０ａは、第１搬送ベルト２２１ａ及び第２搬送ベルト２２２ａを有している。第１搬送ベルト２２１ａ及び第２搬送ベルト２２２ａは、分離ベルト２１１から受け渡された硬貨を互いの間で挟み込みながらシュータ３０１の後端部に搬送する部材である。
【０２１８】
第１搬送ベルト２２１ａ及び第２搬送ベルト２２２ａは、互いの間で硬貨を挟み込む部分（以下、「上昇搬送部２２９ａ」と称する）が、直線状に垂直方向に延伸する構成になっている。
【０２１９】
このような補助ユニット１０００の上昇搬送部２２９ａは、図１７Ａ（ｂ）に示すように、複数枚の硬貨Ｃが上昇搬送部２２９ａを支持する１対のローラ２２３の間に進入した場合に、硬貨Ｃを保持する保持力が著しく低下する可能性がある。
【０２２０】
例えば、図１７Ａ（ｂ）に示す例では、３枚の硬貨Ｃ１、Ｃ２，Ｃ３が、１対のローラ２２３の間に進入している。そのため、上昇搬送部２２９ａは、硬貨Ｃ１及び硬貨Ｃ３の厚みにより、第１搬送ベルト２２１ａと第２搬送ベルト２２２ａとの間が離間する。したがって、上昇搬送部２２９ａは、硬貨Ｃ１と硬貨Ｃ３との間に位置する硬貨Ｃ２を保持する保持力が、低下する。
【０２２１】
その結果、この場合に、上昇搬送部２２９ａは、硬貨Ｃ２を保持しきれず、硬貨Ｃ２を落下させる可能性がある。したがって、補助ユニット１０００は、硬貨Ｃの搬送中に、硬貨Ｃの落下や硬貨Ｃの滞留が上昇搬送部２２９ａで発生することが予測される。
【０２２２】
次に、図１７Ｂを参照して、本実施形態１に係る補助ユニット１００の搬送部２２０の構成を説明する。図１７Ｂは、実施形態１に係る硬貨精査補助ユニットの搬送部の構成を示す図である。図１７Ｂ（ａ）は、実施形態１に係る補助ユニット１００の搬送部２２０の全体構成を示しており、図１７Ｂ（ｂ）は、実施形態１に係る補助ユニット１００の搬送部２２０の主要部の構成を示している。
【０２２３】
図１７Ｂに示すように、本実施形態１に係る補助ユニット１００の搬送部２２０の第１搬送ベルト２２１及び第２搬送ベルト２２２は、互いの間で硬貨を挟み込む部分（以下、「上昇搬送部２２９」と称する）が、円弧状に垂直方向に延伸する構成になっている。
上昇搬送部２２９は、円弧状に配置された複数のローラ２２３が第１搬送ベルト２２１及び第２搬送ベルト２２２を支持することによって、円弧状に形成されている。
【０２２４】
補助ユニット１００は、１対のローラ２２３の間のピッチ（以下、「ローラピッチＰｐ」と称する）間に１枚の硬貨Ｃしか入らないように、硬貨Ｃを搬送するピッチ（以下、「硬貨搬送ピッチＰｃ」と称する）を確保して、硬貨Ｃを搬送する。
【０２２５】
なお、「ローラピッチＰｐ」は、厳密には、ローラ２２３とベルト（図示例では、第１搬送ベルト２２１）との接点部の間の距離となる。
また、「硬貨搬送ピッチＰｃ」は、最小径の硬貨（具体的には、１円硬貨）以上の大きさとなる。
【０２２６】
補助ユニット１００は、分離部２１０の分離ベルト２１１と、搬送部２２０の第１搬送ベルト２２１及び第２搬送ベルト２２２との間で、速度差を設けることによって、「硬貨搬送ピッチＰｃ」を調整する。
【０２２７】
具体的には、補助ユニット１００は、「分離ベルトの走行速度＜搬送ベルトの走行速度」の速度差で、硬貨Ｃを分離部２１０の分離ベルト２１１から搬送部２２０の第１搬送ベルト２２１及び第２搬送ベルト２２２に受け渡すことにより、「硬貨搬送ピッチＰｃ」を調整する。
【０２２８】
このような補助ユニット１００は、上昇搬送部２２９が円弧状に形成されており、しかも、各ローラピッチＰｐ間に１枚の硬貨Ｃしか入らないように、硬貨搬送ピッチＰｃが設定されている。
【０２２９】
そのため、補助ユニット１００は、例えば、図１７Ｂ（ｂ）に示すように、３枚の硬貨Ｃ１、Ｃ２，Ｃ３が、上昇搬送部２２９に進入しても、比較例に係る補助ユニット１０００と異なり、他の硬貨Ｃの厚みによって、硬貨Ｃが落下する程に、保持力が低下する箇所が上昇搬送部２２９に発生するのを防止することができる。
【０２３０】
したがって、補助ユニット１００は、上昇搬送部２２９が硬貨Ｃを保持しきれずに硬貨Ｃを落下させるのを防止することができる。これにより、補助ユニット１００は、保持力を低下させることなく、硬貨Ｃを安定して搬送させることができる。
【０２３１】
なお、本実施形態１では、補助ユニット１００は、分離部２１０の分離ベルト２１１と搬送部２２０の第１ベルト２２１及び第２ベルト２２２との間に速度差を設けることにより、硬貨搬送ピッチＰｃを確保している。
しかしながら、補助ユニット１００は、別駆動によって間欠的に回転する図示せぬローラを分離部２１０に設け、一定間隔で硬貨を分離部２１０から搬送部２２０に受け渡すことによっても、硬貨搬送ピッチＰｃを確保することができる。
【０２３２】
以上の通り、本実施形態１に係る補助ユニット１００によれば、現金取扱装置（ここでは、釣銭機１）で行われる硬貨の精査処理時に、現金取扱装置の出金口に放出された硬貨を自動的に現金取扱装置の内部に還流させることができる。
【０２３３】
［実施形態２］
実施形態１に係る補助ユニット１００は、釣銭機１のシャッタ９が閉鎖されている場合に、オペレータがキー１２０を回転させると、キー１２０の回転の途中で、第１レバー１２４が釣銭機１のシャッタ９に当接して、キーシリンダ１２２の回動（すなわち、第２レバー１２５の回動）が規制される（図１３（ｂ）参照）。
【０２３４】
そのため、実施形態１に係る補助ユニット１００は、釣銭機１のユニットセットスイッチＳＷ１をオン状態にすることができない。したがって、実施形態１に係る補助ユニット１００は、釣銭機１のシャッタ９が閉鎖されている場合に、釣銭機１に、硬貨の精査処理を実行させることができない。
【０２３５】
そこで、本実施形態２では、補助ユニット１００の装着時における釣銭機１のシャッタ９の開閉状態に関わらず、釣銭機１に、硬貨の精査処理を実行させることができる補助ユニット１００Ａを提供する。
【０２３６】
以下、図１８を参照して、本実施形態２に係る補助ユニット１００Ａの構成につき説明する。図１８は、実施形態２に係る硬貨精査補助ユニットの構成を示す図である。
【０２３７】
本実施形態２では、釣銭機１の構成は、実施形態１と同様の構成となっている。ただし、本実施形態２では、釣銭機１のシャッタ９は、補助ユニット１００Ａの第１レバー１２４ａから実施形態１に係る補助ユニット１００の第１レバー１２４よりも強い押圧を受けるため、丈夫で摩耗し難い素材によって構成されることが好ましい。
【０２３８】
一方、本実施形態２に係る補助ユニット１００Ａは、実施形態１に係る補助ユニット１００（図１２及び図１３参照）と比較すると、図１８に示すように、第１レバー１２４ａの位置及び長さが実施形態１に係る第１レバー１２４の位置及び長さと異なる点で相違している。
【０２３９】
具体的には、図１８に示すように、補助ユニット１００Ａの第１レバー１２４ａは、実施形態１に係る補助ユニット１００の第１レバー１２４よりもシャッタ支点９ａから若干離れた位置に設けられている。また、補助ユニット１００Ａの第１レバー１２４ａは、実施形態１に係る補助ユニット１００の第１レバー１２４よりも長く形成されている。
【０２４０】
このような補助ユニット１００Ａは、オペレータがキー１２０を回転させると、第１レバー１２４ａ及び第２レバー１２５が回動する。そして、補助ユニット１００Ａは、釣銭機１のシャッタ９が閉鎖されている場合に、キー１２０の回転の途中で、第１レバー１２４ａの先端部が釣銭機１のシャッタ９と当接する。
【０２４１】
このとき、補助ユニット１００Ａは、第１レバー１２４ａの先端部が、釣銭機１のシャッタ９を上方向に押し上げて、釣銭機１のシャッタ９を強制的に開放させる。その結果、補助ユニット１００Ａは、第２レバー１２５の先端部が、釣銭機１のレバー進入孔５ｂの中に進入して、釣銭機１のユニットセットスイッチＳＷ１のセンサ部（先端部）を押圧する。
【０２４２】
そのため、補助ユニット１００Ａは、釣銭機１のユニットセットスイッチＳＷ１をオン状態にすることができる。その結果、釣銭機１の本体制御部１１は、自身の動作状態を、精査不能状態から精査可能状態に切り替える。その結果、釣銭機１は、硬貨の精査処理を実行する。
【０２４３】
このような補助ユニット１００Ａは、釣銭機１のシャッタ９が閉鎖されている場合に、オペレータがキー１２０を回転させると、第１レバー１２４ａが釣銭機１のシャッタ９を強制的に開放する構成となっている。
【０２４４】
したがって、補助ユニット１００Ａは、たとえ、釣銭機１のシャッタ９が閉鎖されていても、釣銭機１のシャッタ９を強制的に開放させることができる。そのため、補助ユニット１００Ａは、釣銭機１のシャッタ９の開閉状態に関わらず、釣銭機１に、硬貨の精査処理を実行させることができる。
【０２４５】
なお、第１レバー１２４ａは、実施形態１に係る補助ユニット１００の第１レバー１２４よりも強い押圧をシャッタ９に与えるため、丈夫で摩耗し難い素材によって構成されることが好ましい。
【０２４６】
以上の通り、本実施形態２に係る補助ユニット１００Ａによれば、たとえ、釣銭機１のシャッタ９が閉鎖されていても、釣銭機１のシャッタ９を強制的に開放させることができる。そのため、本実施形態２に係る補助ユニット１００Ａによれば、釣銭機１のシャッタ９の開閉状態に関わらず、釣銭機１に、硬貨の精査処理を実行させることができる。
【０２４７】
［実施形態３］
実施形態１に係る釣銭機１（図１２及び図１３参照）は、ユニットセンサスイッチＳＷ１（図１２及び図１３参照）によって、シャッタ９の開閉状態を検知する構成になっている。
【０２４８】
これに対し、本実施形態３では、実施形態１に係る釣銭機１に既に設けられている既存の残留センサＳＮ２を用いることにより、ユニットセンサスイッチＳＷ１（図１２及び図１３参照）を用いることなく、シャッタ９の開閉状態を検知する釣銭機１Ｂを提供する。
【０２４９】
以下、図１９を参照して、本実施形態３に係る釣銭機１Ｂの構成につき説明する。図１９は、実施形態３に係る現金取扱装置の構成を示す図である。
【０２５０】
本実施形態３に係る現金取扱装置としての釣銭機１Ｂは、実施形態１に係る釣銭機１（図１２及び図１３参照）と比較すると、図１９に示すように、ユニットセンサスイッチＳＷ１（図１２及び図１３参照）が削除される代わりに、突出部９ｂがシャッタ９の底面に設けられている点で相違している。突出部９ｂは、シャッタ９が開放された場合に、残留センサＳＮ２の発光センサと受光センサとの間を遮る構成要素である。
【０２５１】
残留センサＳＮ２は、前記した通り、出金口５の内部に硬貨が残留する場合に、その硬貨を検知するセンサである。残留センサＳＮ２は、出金口５の内部に複数設けられている。各残留センサＳＮ２は、それぞれ、１対の発光センサと受光センサとによって構成されている。発光センサ及び受光センサは、それぞれ、出金口５の内部で、左右に分かれて、対向して配置されている。
【０２５２】
釣銭機１Ｂは、図１９（ａ）に示すように、シャッタ９が閉鎖されている場合に、突出部９ｂが残留センサＳＮ２の発光センサと受光センサとの間を遮らない。そのため、この場合に、釣銭機１Ｂは、残留センサＳＮ２がシャッタ９の開放を検知していない状態となる。
【０２５３】
一方、釣銭機１Ｂは、図１９（ｂ）に示すように、シャッタ９が開放されている場合に、突出部９ｂが残留センサＳＮ２の発光センサと受光センサとの間を遮る。そのため、この場合に、釣銭機１Ｂは、残留センサＳＮ２がシャッタ９の開放を検知した状態となる。
【０２５４】
このような釣銭機１Ｂは、オペレータによって硬貨の精査処理開始コマンドが投入されて、硬貨の精査処理が開始されると、本体制御部１１が、残留センサＳＮ２の状態に基づいて、シャッタ９の開閉状態を確認する。
【０２５５】
そして、本体制御部１１は、シャッタ９が閉鎖されている場合に、図示せぬ放音手段によってアラーム音を放音させたり、又は、シャッタ９の開放を指示するメッセージを表示部３ｂ（図１Ａ参照）に表示させたりして、シャッタ９が閉鎖状態であることをオペレータに警告する。これにより、本体制御部１１は、オペレータにシャッタ９を開けるように促す。
【０２５６】
図２０に、このような釣銭機１Ｂの動作フローを示す。図２０は、実施形態３に係る現金取扱装置の動作を示すフローチャートである。
図２０に示すように、本実施形態３に係る現金取扱装置としての釣銭機１Ｂの動作は、実施形態１に係る釣銭機１の動作（図１４参照）と比較すると、Ｓ１０５の処理（ユニットセットスイッチがオン状態になっているか否かの判定処理）が削除される代わりに、Ｓ１１０の判定処理が行われる点で相違している。
【０２５７】
すなわち、釣銭機１Ｂは、オペレータによって硬貨の精査処理開始コマンドが投入されると、動作を開始する。このとき、釣銭機１Ｂは、まず、本体制御部１１によって、残留センサＳＮ２がオン状態になっているか否かを（すなわち、シャッタ９が開放されているか否かを）判定する（Ｓ１１０）。
【０２５８】
Ｓ１１０の判定で、残留センサＳＮ２がオン状態になっていない（すなわち、シャッタ９が開放されていない）と判定された場合（“Ｎｏ”の場合）に、釣銭機１Ｂの本体制御部１１は、図示せぬ放音手段によってアラーム音を放音させたり、又は、シャッタ９の開放を指示するメッセージを操作部３の表示部３ｂに表示させたりして、シャッタ９が閉鎖状態であることをオペレータに警告する（Ｓ１１５）。これにより、本体制御部１１は、オペレータにシャッタ９を開けるように促す。この後、処理は、Ｓ１１０に戻る。
【０２５９】
一方、Ｓ１１０の判定で、残留センサＳＮ２がオン状態になっている（すなわち、シャッタ９が開放されている）と判定された場合（“Ｙｅｓ”の場合）に、処理は、Ｓ１２０に進む。その結果、釣銭機１Ｂは、Ｓ１２０の回収動作を開始する。
【０２６０】
このような釣銭機１Ｂは、シャッタ９が閉鎖されている場合に、硬貨の精査処理が実行されるのを防止することができる。したがって、釣銭機１Ｂは、オペレータが、硬貨の精査処理時に、シャッタ９を開け忘れても、硬貨の精査処理が実行されるのを防止することができる。
【０２６１】
以上の通り、本実施形態３に係る釣銭機１Ｂによれば、シャッタ９の底面に突出部９ｂを設け、既存の残留センサＳＮ２を用いて突出部９ｂを検出することにより、ユニットセンサスイッチＳＷ１（図１２及び図１３参照）を用いることなく、シャッタ９の開閉状態を検知することができる。
また、釣銭機１Ｂによれば、ユニットセンサスイッチＳＷ１を削除することができるため、出金口５周りの構成を簡素化することができる。
【０２６２】
本発明は、前記した実施形態に限定されることなく、本発明の要旨を逸脱しない範囲で種々の変更や変形を行うことができる。
例えば、現金取扱装置（釣銭機１，１Ｂ）は、硬貨だけでなく、紙幣を取り扱う構成であってもよい。
また、例えば、実施形態３では、釣銭機１Ｂは、突出部９ｂがシャッタ９の底面に設けられている。しかしながら、シャッタ９が残留センサＳＮ２によって検知されるだけの十分な厚さを有するのであれば、釣銭機１Ｂは、突出部９ｂを削除することが可能である。
【符号の説明】
【０２６３】
１，１Ｂ    現金取扱装置（釣銭機）
２    筐体
３    操作部
３ａ    入力部
３ｂ    表示部
４    入金口
５    出金口
５ａ    開口部
５ｂ    レバー進入孔
６    リジェクト口
７    被装着部
７ａ    上面
７ｂ    下面
９    シャッタ
９ａ    シャッタ支点
９ｂ    突出部
１１    本体制御部
１２    記憶部
１２ａ    管理有高情報
１２ｂ    回収カウント情報
１２ｃ    補充カウント情報
１２ｄ    精査記録情報
１３    通信部
１４    鑑別部
１５    搬送部
１６    収納部
１７    収納庫
４１    入金ベルト
９９    上位装置（キャッシュレジスタ）
１００，１００Ａ    硬貨精査補助ユニット（補助ユニット）
１０１    筐体
１０２    フロントカバー
１０３    リヤカバー
１０３ａ    上部部分
１０３ｂ    下部部分
１０３ｂａ    上面
１０４    凹部
１０５    装着部
１０６    突出部
１０９    取込口
１１０    ハンドル
１１１    ベース部
１１２    グリップ部
１１３    係合部
１１３ａ    溝
１１４    ハンドルロック機構
１１６ａ，１１６ｂ    長孔
１１７    湾曲孔（ガイド部）
１２０    キー
１２１    鍵穴
１２２    キーシリンダ
１２２ａ    胴体部分
１２２ｂ    突出部（押圧部）
１２３    ロックレバー
１２３ａ    ピン（レバー支点）
１２３ｂ    先端部
１２３ｃ    後端部
１２４    第１レバー（連動部材）
１２５    第２レバー（固定部材）
１２６    バネ
１９９    電源ケーブル
２０１    取付パネル
２０２    突出部（ハンドル支持部）
２０３ａ，２０３ｂ    ポスト
２０６    ユニット制御部
２０７ａ，２０７ｂ    モータ
２１０    分離部
２１１    分離ベルト
２２０    搬送部
２２１    第１搬送ベルト
２２２    第２搬送ベルト
２２３    ローラ
２２９    上昇搬送部
３０１    シュータ
３０２    シュータカバー
３０２ｂ    下端部
３０３    シュータ回動機構
３０４    シュータブラケット
３０５    ポスト（ブラケット支点）
３０６    ピン（係合部）
Ｐｃ    硬貨搬送ピッチ
Ｐｐ    ローラピッチ
ＳＮ１    投入センサ
ＳＮ２    残留センサ
ＳＮ３    あふれセンサ
ＳＷ１    ユニットセットスイッチ
【図１Ａ】
0005810999.tif 000002
【図１Ｂ】
0005810999.tif 000003
【図２】
0005810999.tif 000004
【図３】
0005810999.tif 000005
【図４】
0005810999.tif 000006
【図５】
0005810999.tif 000007
【図６】
0005810999.tif 000008
【図７】
0005810999.tif 000009
【図８】
0005810999.tif 000010
【図９】
0005810999.tif 000011
【図１０】
0005810999.tif 000012
【図１１】
0005810999.tif 000013
【図１２】
0005810999.tif 000014
【図１３】
0005810999.tif 000015
【図１４】
0005810999.tif 000016
【図１５Ａ】
0005810999.tif 000017
【図１５Ｂ】
0005810999.tif 000018
【図１６】
0005810999.tif 000019
【図１７Ａ】
0005810999.tif 000020
【図１７Ｂ】
0005810999.tif 000021
【図１８】
0005810999.tif 000022
【図１９】
0005810999.tif 000023
【図２０】
0005810999.tif 000024